(57)【要約】  複数のデータサンプルが、ＷＬＡＮ受信チェーンを使用して単一の捕捉期間の間に捕捉され、ここにおいて、データサンプルは、ＷＷＡＮによって周期的に送信される関心の信号を含む。好ましいＬＮＡ利得状態が、ＷＬＡＮ受信チェーンに対する複数の利用可能なＬＮＡ利得状態の中から選択される。複数の利得状態は、ＬＮＡ利得状態の離散集合であってもよく、あるいは、エネルギー測定値から導出されたＬＮＡ利得状態の集合であってもよい。ＷＬＡＮ受信チェーンのＬＮＡ利得状態は、選択されたＬＮＡ利得状態に設定され、データサンプルは、捕捉期間内の複数の連続的捕捉ティックの各々の間に捕捉される。捕捉されたデータサンプルは、関心の信号に関して検出するために処理される。
2017523649.tif 000002
【特許請求の範囲】
【請求項１】
ワイヤレスローカルエリアネットワーク（ＷＬＡＮ）受信チェーンを使用して単一の捕捉期間の間に複数のデータサンプルを捕捉する方法であって、前記データサンプルは、ワイヤレスワイドエリアネットワーク（ＷＷＡＮ）によって周期的に送信される関心の信号を含み、前記方法は、
前記ＷＬＡＮ受信チェーンに対する複数の利用可能なＬＮＡ利得状態の中から好ましいＬＮＡ利得状態を選択することと、
前記選択されたＬＮＡ利得状態に前記ＷＬＡＮ受信チェーンの前記ＬＮＡ利得状態を設定することと、
捕捉期間内の複数の連続的捕捉ティックの各々の間にデータサンプルを捕捉することと、
前記関心の信号に関して検出するために前記データサンプルを処理することとを備える方法。
【請求項２】
前記好ましいＬＮＡ利得状態は、単一の捕捉期間の間に複数のＷＬＡＮ受信チェーンによって捕捉されたデータサンプルに基づいて選択される、請求項１に記載の方法。
【請求項３】
好ましいＬＮＡ利得状態を選択することは、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを備え、
前記最大の測定値に対応する前記ＬＮＡ利得状態が、前記好ましいＬＮＡ利得状態として選択される、請求項２に記載の方法。
【請求項４】
前記測定値は信号品質測定値である、請求項２に記載の方法。
【請求項５】
前記信号品質測定値は、ＰＳＳ信号対雑音比（ＳＮＲ）およびＳＳＳ  ＳＮＲの一方を備える、請求項３に記載の方法。
【請求項６】
前記好ましいＬＮＡ利得状態は、複数の捕捉期間の間に単一のＷＬＡＮ受信チェーンによって捕捉されたデータサンプルに基づいて選択される、請求項１に記載の方法。
【請求項７】
好ましいＬＮＡ利得状態を選択することは、
第１のＬＮＡ利得状態に前記ＷＬＡＮ受信チェーンの前記ＬＮＡ利得状態を設定することと、
複数の隣接ティックによって規定される第１の捕捉期間にわたって前記ＷＬＡＮ受信チェーンを使用して、データサンプルを捕捉することと、
少なくとも１つの付加的なＬＮＡ利得状態に対して前記設定することおよび捕捉することを反復することと、
前記ＷＬＡＮ受信チェーンによって捕捉されたデータサンプルに基づいて、前記ＬＮＡ利得状態の各々に対する測定値を取得する一方で、そのＬＮＡ利得状態に設定することとを備え、
前記最大の測定値に対応する前記ＬＮＡ利得状態が、前記好ましいＬＮＡ利得状態として選択される、請求項６に記載の方法。
【請求項８】
好ましいＬＮＡ利得状態を選択することは、
捕捉期間内の複数の連続的捕捉ティックの各々に対してＬＮＡ利得状態を決定することと、
前記決定されたＬＮＡ利得状態の中から前記好ましいＬＮＡ利得状態を特定することとを備える、請求項１に記載の方法。
【請求項９】
前記好ましいＬＮＡステージは、信号飽和と信号損失の少なくとも一方を最小限にする、請求項８に記載の方法。
【請求項１０】
前記好ましいＬＮＡステージは、前記複数の決定されたＬＮＡ利得状態の中からの前記最小のＬＮＡ利得状態、前記複数の決定されたＬＮＡ利得状態の中からの前記最大のＬＮＡ利得状態、および前記決定されたＬＮＡ利得状態の平均値のうちの１つを備える、請求項８に記載の方法。
【請求項１１】
処理することは、前記複数の捕捉ティックの各々に対して、前記ティックに対する前記決定されたＬＮＡ利得状態および前記選択されたＬＮＡ利得状態に基づいて、前記ティックの間に捕捉された前記捕捉データサンプルに対してデジタル利得補償を実施することを備える、請求項１に記載の方法。
【請求項１２】
ワイヤレスローカルエリアネットワーク（ＷＬＡＮ）受信チェーンを使用して単一の捕捉期間の間に複数のデータサンプルを捕捉するための装置であって、前記データサンプルは、ワイヤレスワイドエリアネットワーク（ＷＷＡＮ）によって周期的に送信される関心の信号を含み、前記装置は、
前記ＷＬＡＮ受信チェーンに対する複数の利用可能なＬＮＡ利得状態の中から好ましいＬＮＡ利得状態を選択するための手段と、
前記選択されたＬＮＡ利得状態に前記ＷＬＡＮ受信チェーンの前記ＬＮＡ利得状態を設定するための手段と、
捕捉期間内の複数の連続的捕捉ティックの各々の間にデータサンプルを捕捉するための手段と、
前記関心の信号に関して検出するために前記データサンプルを処理するための手段とを備える装置。
【請求項１３】
前記好ましいＬＮＡ利得状態は、単一の捕捉期間の間に複数のＷＬＡＮ受信チェーンによって捕捉されたデータサンプルに基づいて選択される、請求項１２に記載の装置。
【請求項１４】
好ましいＬＮＡ利得状態を選択するための前記手段は、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うように構成され、
前記最大の測定値に対応する前記ＬＮＡ利得状態が、前記好ましいＬＮＡ利得状態として選択される、請求項１３に記載の装置。
【請求項１５】
前記測定値は信号品質測定値である、請求項１３に記載の装置。
【請求項１６】
前記信号品質測定値は、ＰＳＳ信号対雑音比（ＳＮＲ）およびＳＳＳ  ＳＮＲの一方を備える、請求項１４に記載の装置。
【請求項１７】
前記好ましいＬＮＡ利得状態は、複数の捕捉期間の間に単一のＷＬＡＮ受信チェーンによって捕捉されたデータサンプルに基づいて選択される、請求項１２に記載の装置。
【請求項１８】
好ましいＬＮＡ利得状態を選択するための前記手段は、
第１のＬＮＡ利得状態に前記ＷＬＡＮ受信チェーンの前記ＬＮＡ利得状態を設定することと、
複数の隣接ティックによって規定される第１の捕捉期間にわたって前記ＷＬＡＮ受信チェーンを使用して、データサンプルを捕捉することと、
少なくとも１つの付加的なＬＮＡ利得状態に対して前記設定することおよび捕捉することを反復することと、
前記ＷＬＡＮ受信チェーンによって捕捉されたデータサンプルに基づいて、前記ＬＮＡ利得状態の各々に対する測定値を取得する一方で、そのＬＮＡ利得状態に設定することとを行うように構成され、
前記最大の測定値に対応する前記ＬＮＡ利得状態が、前記好ましいＬＮＡ利得状態として選択される、請求項１７に記載の装置。
【請求項１９】
好ましいＬＮＡ利得状態を選択するための前記手段は、
捕捉期間内の複数の連続的捕捉ティックの各々に対してＬＮＡ利得状態を決定することと、
前記決定されたＬＮＡ利得状態の中から前記好ましいＬＮＡ利得状態を特定することとを行うように構成される、請求項１２に記載の装置。
【請求項２０】
前記好ましいＬＮＡステージは、信号飽和と信号損失の少なくとも一方を最小限にする、請求項１９に記載の装置。
【請求項２１】
前記好ましいＬＮＡステージは、前記複数の決定されたＬＮＡ利得状態の中からの前記最小のＬＮＡ利得状態、前記複数の決定されたＬＮＡ利得状態の中からの前記最大のＬＮＡ利得状態、および前記決定されたＬＮＡ利得状態の平均値のうちの１つを備える、請求項１９に記載の装置。
【請求項２２】
処理するための前記手段は、前記複数の捕捉ティックの各々に対して、前記ティックに対する前記決定されたＬＮＡ利得状態および前記選択されたＬＮＡ利得状態に基づいて、前記ティックの間に捕捉された前記捕捉データサンプルに対してデジタル利得補償を実施するように構成される、請求項１２に記載の装置。
【請求項２３】
ワイヤレスローカルエリアネットワーク（ＷＬＡＮ）受信チェーンを使用して単一の捕捉期間の間に複数のデータサンプルを捕捉するための装置であって、前記データサンプルは、ワイヤレスワイドエリアネットワーク（ＷＷＡＮ）によって周期的に送信される関心の信号を含み、前記装置は、
メモリと、
前記メモリに結合された少なくとも１つのプロセッサとを備え、前記少なくとも１つのプロセッサは、
前記ＷＬＡＮ受信チェーンのための複数の利用可能なＬＮＡ利得状態の中から好ましいＬＮＡ利得状態を選択することと、
前記選択されたＬＮＡ利得状態に前記ＷＬＡＮ受信チェーンの前記ＬＮＡ利得状態を設定することと、
捕捉期間内の複数の連続的捕捉ティックの各々の間にデータサンプルを捕捉することと、
前記関心の信号に関して検出するために前記データサンプルを処理することとを行うように構成される装置。
【請求項２４】
前記好ましいＬＮＡ利得状態は、単一の捕捉期間の間に複数のＷＬＡＮ受信チェーンによって捕捉されたデータサンプルに基づいて選択される、請求項２３に記載の装置。
【請求項２５】
好ましいＬＮＡ利得状態を選択するために、前記少なくとも１つのプロセッサは、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うようにさらに構成され、
前記最大の測定値に対応する前記ＬＮＡ利得状態が、前記好ましいＬＮＡ利得状態として選択される、請求項２４に記載の装置。
【請求項２６】
前記測定値は信号品質測定値である、請求項２４に記載の装置。
【請求項２７】
ワイヤレスローカルエリアネットワーク（ＷＬＡＮ）受信チェーンを使用して単一の捕捉期間の間に複数のデータサンプルを捕捉するためのコンピュータプログラム製品であって、前記データサンプルは、ワイヤレスワイドエリアネットワーク（ＷＷＡＮ）によって周期的に送信される関心の信号を含み、前記製品は、コンピュータ可読媒体上に記憶され、少なくとも１つのプロセッサ上で実行されると、
前記ＷＬＡＮ受信チェーンのための複数の利用可能なＬＮＡ利得状態の中から好ましいＬＮＡ利得状態を選択するステップと、
前記選択されたＬＮＡ利得状態に前記ＷＬＡＮ受信チェーンの前記ＬＮＡ利得状態を設定するステップと、
捕捉期間内の複数の連続的捕捉ティックの各々の間にデータサンプルを捕捉するステップと、
前記関心の信号に関して検出するために前記データサンプルを処理するステップとを実施するコードを備える製品。
【請求項２８】
前記好ましいＬＮＡ利得状態は、単一の捕捉期間の間に複数のＷＬＡＮ受信チェーンによって捕捉されたデータサンプルに基づいて選択される、請求項２７に記載の製品。
【請求項２９】
好ましいＬＮＡ利得状態を選択するためのコードは、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うためのコードを備え、
前記最大の測定値に対応する前記ＬＮＡ利得状態が、前記好ましいＬＮＡ利得状態として選択される、請求項２８に記載の製品。
【請求項３０】
前記測定値は信号品質測定値である、請求項２８に記載の製品。
【発明の詳細な説明】
【技術分野】
【０００１】
関連出願の相互参照
[0001]本出願は、その全体が参照により本明細書に明確に組み込まれる、２０１４年６月５日に出願された「ＡＵＴＯＭＡＴＩＣ  ＧＡＩＮ  ＣＯＮＴＲＯＬ  ＦＯＲ  ＴＩＭＥ  ＤＩＶＩＳＩＯＮ  ＤＵＰＬＥＸ  ＬＴＥ」と題する米国仮特許出願第１４／２９７，４９１号の利益を主張する。
【０００２】
[0002]本開示は、一般に通信システムに関し、より詳細には、ワイヤレスローカルエリアネットワーク（ＷＬＡＮ）受信チェーンを使用した時分割複信（ＴＤＤ）ロングタームエボリューション（ＬＴＥ（登録商標））用の自動利得制御（ＡＧＣ）に関する。
【背景技術】
【０００３】
[0003]ワイヤレス通信システムは、電話、ビデオ、データ、メッセージング、およびブロードキャストなどの様々な電気通信サービスを提供するために広く展開されている。通常のワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、さらには地球規模で通信することを可能にする共通プロトコルを提供するために様々な電気通信規格において採用されてきた。新生の電気通信規格の一例が、ロングタームエボリューション（ＬＴＥ）である。ＬＴＥは、第３世代パートナーシッププロジェクト（３ＧＰＰ（登録商標））によって公表されたユニバーサルモバイルテレコミュニケーションシステム（ＵＭＴＳ）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を利用する電気通信規格とに適用可能であるべきである。
【発明の概要】
【０００５】
[0005]ワイヤレスワイドエリアネットワーク（ＷＷＡＮ）によって周期的に送信される関心の（interest）信号を含んだ連続データを形成するように複数の捕捉（capture）期間にまたがって複数のデータサンプルを捕捉するための方法、コンピュータプログラム製品、および装置が提供される。データサンプルは、複数の隣接（contiguous）ティックによって規定される第１の捕捉期間にわたる捕捉ティックの第１のセットの間に捕捉される。捕捉ティックの第１のセットは、複数の隣接ティックの第１のサブセットを備え、捕捉は、切替え可能なＬＮＡ利得状態を有するワイヤレスローカルエリアネットワーク（ＷＬＡＮ）受信チェーンを使用して行われる。データサンプルの捕捉は、データサンプルが以前に捕捉されていない複数の隣接ティックの付加的なサブセットを備える、捕捉ティックの少なくとも１つの付加的なセットの間にデータサンプルを捕捉するために、複数の隣接ティックによって規定される少なくとも１つの付加的な捕捉期間にわたって反復される。捕捉の間、ＷＬＡＮ受信チェーンのＬＮＡ利得状態は、複数の捕捉期間にまたがって少なくとも１回、切り替えられる。利得状態の切替えは、捕捉期間のうちの１つまたは複数の中で、または捕捉期間同士の間に生じ得る。
【０００６】
[0006]ＷＷＡＮによって周期的に送信される関心の信号をデータサンプルが含む、ＷＬＡＮ受信チェーンを使用して単一の捕捉期間の間に複数のデータサンプルを捕捉するための方法、コンピュータプログラム製品、および装置が提供される。好ましいＬＮＡ利得状態が、ＷＬＡＮ受信チェーンに対する複数の利用可能なＬＮＡ利得状態の中から選択される。複数の利得状態は、ＬＮＡ利得状態の離散集合（set）であってもよく、あるいは、エネルギー測定値から導出されたＬＮＡ利得状態の集合であってもよい。ＷＬＡＮ受信チェーンのＬＮＡ利得状態は、選択されたＬＮＡ利得状態に設定され、データサンプルは、捕捉期間内の複数の隣接捕捉ティックの各々の間に捕捉される。捕捉されたデータサンプルは、関心の信号に関して検出するために処理される。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワークの中の発展型ノードＢおよびユーザ機器の一例を示す図。
【図７】[0013]複数の無線機を有するＵＥの図。
【図８】[0014]時間領域における時分割複信（ＴＤＤ）ＬＴＥ無線フレームの無線通信フレーム構造を示す図。
【図９】[0015]ＰＳＳおよびＳＳＳのロケーションを示す、図８のサブフレーム＃０およびサブフレーム＃１を示す図。
【図１０】[0016]低雑音増幅器（ＬＮＡ）利得状態を導出および設定するためのパイプライン動作を示す図。
【図１１】[0017]ＷＷＡＮによって周期的に送信される関心の信号を含む連続データを形成するために、複数の捕捉期間にまたがって複数のデータサンプルを捕捉する方法のフローチャートを示す図。
【図１２】[0018]図１１の方法の例示的な記述を示す図。
【図１３】[0019]ＬＮＡ利得状態が捕捉期間の間に切り替えられる、捕捉ティックのセットの様々なパターンを示す図。
【図１４】[0020]５ｍｓの周期性を有する関心の信号を捕捉するための捕捉ティックのセット示す図。
【図１５】[0021]部分的にのみ捕捉される関心の信号を捕捉するための捕捉ティックのセットを示す図。
【図１６】[0022]ＬＮＡ利得状態が捕捉期間同士の間に切り替えられる、捕捉ティックのセットを示す図。
【図１７】[0023]図１２の方法を実装する例示的な装置中の異なるモジュール／手段／構成要素間のデータフローを示す概念データフロー図。
【図１８】[0024]図１２の方法を実装する処理システムを採用する装置のためのハードウェア実装形態の一例を示す図。
【図１９】[0025]ＷＷＡＮによって周期的に送信される関心の信号をデータサンプルが含む、ＷＬＡＮ受信チェーンを使用して単一の捕捉期間の間に複数のデータサンプルを捕捉する方法のフローチャートを示す図。
【図２０】[0026]複数の利用可能なＬＮＡ利得状態がＬＮＡ利得状態の離散集合に限定され得る場合における、図１９の方法の例示的な記述を示す図。
【図２１】複数の利用可能なＬＮＡ利得状態がＬＮＡ利得状態の離散集合に限定され得る場合における、図１９の方法の例示的な記述を示す図。
【図２２】[0027]複数の利用可能なＬＮＡ利得状態がエネルギー測定値から導出され、捕捉されたデータサンプルがデジタルで補償される場合における、図１９の方法の例示的な記述を示す図。
【図２３】[0028]複数の利用可能なＬＮＡ利得状態がエネルギー測定値から導出され、捕捉されたデータサンプルがデジタルで補償される場合における、図１９の方法の別の例示的な記述を示す図。
【図２４】[0029]図１９の方法を実装する例示的な装置中の異なるモジュール／手段／構成要素間のデータフローを示す概念データフロー図。
【図２５】[0030]図１９の方法を実装する処理システムを採用する装置のためのハードウェア実装形態の一例を示す図。
【発明を実施するための形態】
【０００８】
[0031]添付の図面とともに以下に記載する詳細な説明は、様々な構成を説明するものであり、本明細書で説明する概念が実施され得る唯一の構成を表すものではない。詳細な説明は、種々の概念を完全に理解してもらう目的で、具体的な詳細を含む。しかしながら、これらの概念がこれらの具体的な詳細なしに実践され得ることが、当業者に明らかであろう。いくつかの事例では、よく知られている構造および構成要素は、そのような概念を不明瞭にすることを避けるためにブロック図の形態で示される。
【０００９】
[0032]ここで、様々な装置および方法を参照しながら電気通信システムのいくつかの態様が提示される。これらの装置および方法が、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるのか、それともソフトウェアとして実装されるのかは、特定の適用例および全体的なシステムに課された設計制約に依存する。
【００１０】
[0033]例として、要素、または要素の任意の部分、または要素の任意の組合せは、１つまたは複数のプロセッサを含む「処理システム」を用いて実装され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成される他の適切なハードウェアを含む。処理システムの中の１つまたは複数のプロセッサは、ソフトウェアを実行し得る。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0034]したがって、１つまたは複数の例示的な実施形態では、説明される機能は、ハードウェア、ソフトウェア、ファームウェア、またはそれらの任意の組合せで実装され得る。ソフトウェアで実装される場合、機能は、コンピュータ可読媒体上に記憶され得るか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であってよい。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）もしくは他の光ディスクストレージ、磁気ディスクストレージもしくは他の磁気ストレージデバイス、または命令もしくはデータ構造の形態で所望のプログラムコードを搬送もしくは記憶するために使用され得、コンピュータによってアクセスされ得る、任意の他の媒体を備えることができる。上記の組合せもコンピュータ可読媒体の範囲内に含まれるべきである。
【００１２】
[0035]図１は、ＬＴＥネットワークアーキテクチャ１００を示す図である。ＬＴＥネットワークアーキテクチャ１００は、発展型パケットシステム（ＥＰＳ）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ）１０４と、発展型パケットコア（ＥＰＣ）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示される様々な概念は、回線交換サービスを提供するネットワークに拡張され得る。
【００１３】
[0036]Ｅ−ＵＴＲＡＮは、発展型ノードＢ（ｅＮＢ）１０６と、他のｅＮＢ１０８とを含み、マルチキャスト協調エンティティ（ＭＣＥ）１２８を含み得る。ｅＮＢ１０６は、ＵＥ１０２に向かってユーザプレーンプロトコル終端と制御プレーンプロトコル終端とを提供する。ｅＮＢ１０６は、バックホール（たとえば、Ｘ２インターフェース）を介して他のｅＮＢ１０８に接続され得る。ＭＣＥ１２８は、発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳ用の無線構成（たとえば、変調／コーディング方式（ＭＣＳ））を決定する。ＭＣＥ１２８は、別個のエンティティ、またはｅＮＢ１０６の一部であってよい。ｅＮＢ１０６は、基地局、ノードＢ、アクセスポイント、トランシーバ基地局、無線基地局、無線トランシーバ、トランシーバ機能、基本サービスセット（ＢＳＳ：basic service set）、拡張サービスセット（ＥＳＳ：extended service set）、または何らかの他の適切な用語で呼ばれることもある。ｅＮＢ１０６は、ＥＰＣ１１０へのアクセスポイントをＵＥ１０２に提供する。ＵＥ１０２の例は、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスを含む。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。
【００１４】
[0037]ｅＮＢ１０６は、ＥＰＣ１１０に接続される。ＥＰＣ１１０は、モビリティ管理エンティティ（ＭＭＥ：Mobility Management Entity）１１２と、ホーム加入者サーバ（ＨＳＳ）１２０と、他のＭＭＥ１１４と、サービングゲートウェイ（ＳＧＷ）１１６と、マルチメディアブロードキャストマルチキャストサービス（ＭＢＭＳ）ゲートウェイ１２４と、ブロードキャストマルチキャストサービスセンター（ＢＭ−ＳＣ：Broadcast Multicast Service Center）１２６と、パケットデータネットワーク（ＰＤＮ：Packet Data Network）ゲートウェイ（ＰＧＷ）１１８とを含み得る。ＭＭＥ１１２は、ＵＥ１０２とＥＰＣ１１０との間のシグナリングを処理する制御ノードである。概して、ＭＭＥ１１２はベアラおよび接続管理を提供する。すべてのユーザＩＰパケットは、サービングゲートウェイ１１６を通じて転送され、サービングゲートウェイ１１６自体は、ＰＤＮゲートウェイ１１８に接続される。ＰＤＮゲートウェイ１１８は、ＵＥのＩＰアドレス割振り、ならびに他の機能を提供する。ＰＤＮゲートウェイ１１８およびＢＭ−ＳＣ１２６はＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、パブリックランドモバイルネットワーク（ＰＬＭＮ）内のＭＢＭＳベアラサービスを許可および開始するために使用され得、ＭＢＭＳ送信をスケジュールおよび配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0038]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８が、セル２０２のうちの１つまたは複数と重なるセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモート無線ヘッド（ＲＲＨ：remote radio head）であってよい。マクロｅＮＢ２０４は各々、それぞれのセル２０２に割り当てられ、セル２０２の中のすべてのＵＥ２０６にＥＰＣ１１０へのアクセスポイントを提供するように構成される。アクセスネットワーク２００のこの例では集中コントローラはないが、代替構成では集中コントローラが使用されてよい。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢの最も小さいカバレージエリアを指すことがあり、および／またはｅＮＢサブシステムサービングは特定のカバレージエリアである。さらに、「ｅＮＢ」、「基地局」、および「セル」という用語は、本明細書では互換的に使用され得る。
【００１６】
[0039]アクセスネットワーク２００によって用いられる変調方式および多元接続方式は、導入されている特定の電気通信規格に応じて異なり得る。ＬＴＥ適用例では、周波数分割複信（ＦＤＤ）と時分割複信（ＴＤＤ）の両方をサポートするために、ＯＦＤＭＡがＤＬ上で使用され、ＳＣ−ＦＤＭＡがＵＬ上で使用される。当業者なら以下の詳細な説明から容易に諒解するように、本明細書で提示される様々な概念は、ＬＴＥ適用例に好適である。しかしながら、これらの概念は、他の変調および多元接続技法を利用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存する。
【００１７】
[0040]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、異なるデータストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００１８】
[0041]空間多重化は、概して、チャネル状態が良いときに使用される。チャネル状態があまり好ましくないとき、送信エネルギーを１つまたは複数の方向に集中させるために、ビームフォーミングが使用され得る。このことは、複数のアンテナを通じた送信用にデータを空間的にプリコーディングすることによって実現され得る。セルのエッジにおいて良好なカバレージを実現するために、送信ダイバーシティと組み合わせてシングルストリームビームフォーミング送信が使用され得る。
【００１９】
[0042]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」をもたらす。時間領域では、ＯＦＤＭシンボル間干渉をなくすために、各ＯＦＤＭシンボルにガードインターバル（たとえば、サイクリックプレフィックス）が追加され得る。ＵＬは、高いピーク対平均電力比（ＰＡＰＲ）を補償するために、ＤＦＴ拡散ＯＦＤＭ信号の形でＳＣ−ＦＤＭＡを使用することができる。
【００２０】
[0043]図３は、ノーマルサイクリックプレフィックスを使用するＬＴＥにおけるＤＬフレーム構造の一例を示す図３００である。フレーム（１０ｍｓ）は、それぞれ１ｍｓの持続時間（duration）の等しいサイズの１０個のサブフレームに分割され得る。各サブフレームは、２つの連続するタイムスロットを含み得る。２つのタイムスロットを表すためにリソースグリッドが使用される場合があり、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含み、時間領域中に７個の連続するＯＦＤＭシンボルを含む。拡張サイクリックプレフィックスの場合、リソースブロックは、合計７２個のリソース要素について、周波数領域中に１２個の連続するサブキャリアを含み、時間領域中に６個の連続するＯＦＤＭシンボルを含む。Ｒ３０２、３０４として示されるリソース要素のいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、および変調方式が高いほど、ＵＥのデータレートは高くなる。
【００２１】
[0044]図４は、ＬＴＥにおけるＵＬフレーム構造の例を示す図４００である。ＵＬのための利用可能なリソースブロックは、データセクションと制御セクションとに区分され得る。制御セクションは、システム帯域幅の２つのエッジに形成される場合があり、構成可能なサイズを有することができる。制御セクション内のリソースブロックは、制御情報を送信するためにＵＥに割り当てられ得る。データセクションは、制御セクション内に含まれないすべてのリソースブロックを含むことができる。ＵＬフレーム構造によって、結果として、データセクションが隣接するサブキャリアを含むようになり、それにより、単一のＵＥに、データセクション内の隣接するサブキャリアのすべてを割り当てることができるようになる。
【００２２】
[0045]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0046]初期システムアクセスを実施し（perform）、物理ランダムアクセスチャネル（ＰＲＡＣＨ）４３０中でＵＬ同期を達成するために、リソースブロックのセットが使用され得る。ＰＲＡＣＨ４３０は、ランダム系列を搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。ＰＲＡＣＨのための周波数ホッピングはない。ＰＲＡＣＨ試行は単一のサブフレーム（１ｍｓ）において、または一連の少数の隣接するサブフレームにおいて搬送され、ＵＥはフレーム（１０ｍｓ）ごとに単一のＰＲＡＣＨ試行のみを行うことができる。
【００２４】
[0047]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤは、本明細書では物理レイヤ５０６と呼ばれる。レイヤ２（Ｌ２レイヤ）５０８は、物理レイヤ５０６の上にあり、物理レイヤ５０６を通じたＵＥとｅＮＢとの間のリンクを担う。
【００２５】
[0048]ユーザプレーンでは、Ｌ２レイヤ５０８は、ネットワーク側のｅＮＢにおいて終端される、媒体アクセス制御（ＭＡＣ）サブレイヤ５１０と、無線リンク制御（ＲＬＣ）サブレイヤ５１２と、パケットデータコンバージェンスプロトコル（ＰＤＣＰ）５１４サブレイヤとを含む。図示されないが、ＵＥは、ネットワーク側のＰＤＮゲートウェイ１１８において終端されるネットワークレイヤ（たとえば、ＩＰレイヤ）と、接続の他端（たとえば、遠端ＵＥ、サーバなど）において終端されるアプリケーションレイヤとを含む、Ｌ２レイヤ５０８の上にいくつかの上位レイヤを有することができる。
【００２６】
[0049]ＰＤＣＰサブレイヤ５１４は、異なる無線ベアラと論理チャネルとの間で多重化を提供する。また、ＰＤＣＰサブレイヤ５１４は、無線送信オーバヘッドを低減するための上位レイヤデータパケットのためのヘッダ圧縮と、データパケットを暗号化することによるセキュリティと、ＵＥのためのｅＮＢ間ハンドオーバサポートとを提供する。ＲＬＣサブレイヤ５１２は、上位レイヤデータパケットのセグメンテーションおよびリアセンブリと、紛失データパケットの再送と、ハイブリッド自動再送要求（ＨＡＲＱ）に起因して異なる順序で受信されたデータパケットを補償するための並べ替えとを提供する。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（たとえば、リソースブロック）を割り振ることを担当する。ＭＡＣサブレイヤ５１０は、ＨＡＲＱ演算も担当する。
【００２７】
[0050]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８に対して実質的に同じである。制御プレーンは、レイヤ３（Ｌ３レイヤ）中に無線リソース制御（ＲＲＣ）サブレイヤ５１６も含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0051]図６は、アクセスネットワーク中でＵＥ６５０と通信しているｅＮＢ６１０のブロック図である。ＤＬにおいて、コアネットワークからの上位レイヤパケットがコントローラ／プロセッサ６７５に与えられる。コントローラ／プロセッサ６７５はＬ２レイヤの機能を実施する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。また、コントローラ／プロセッサ６７５は、ＨＡＲＱ演算と、紛失パケットの再送と、ＵＥ６５０へのシグナリングとを担う。
【００２９】
[0052]送信（ＴＸ）プロセッサ６１６は、Ｌ１レイヤ（すなわち、物理レイヤ）のための種々の信号処理機能を実施する。信号処理機能は、ＵＥ６５０における順方向誤り訂正（ＦＥＣ）を容易にするためのコーディングおよびインターリービングと、様々な変調方式（たとえば、２相シフトキーイング（ＢＰＳＫ）、４相シフトキーイング（ＱＰＳＫ）、Ｍ相シフトキーイング（Ｍ−ＰＳＫ）、多値直交振幅変調（Ｍ−ＱＡＭ））に基づく信号コンスタレーションへのマッピングとを含む。コーディングおよび変調されたシンボルは、次いで、並列ストリームに分割される。各ストリームは、その後、ＯＦＤＭサブキャリアにマッピングされ、時間領域および／または周波数領域において基準信号（たとえば、パイロット）と多重化され、その後、時間領域ＯＦＤＭシンボルストリームを搬送する物理チャネルを生成するために、逆高速フーリエ変換（ＩＦＦＴ）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用される場合がある。チャネル推定値は、ＵＥ６５０によって送信される参照信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0053]ＵＥ６５０において、各受信機６５４ＲＸは、それのそれぞれのアンテナ６５２を通して信号を受信する。各受信機６５４ＲＸは、ＲＦキャリア上に変調された情報を復元し、その情報を受信（ＲＸ）プロセッサ６５６に与える。ＲＸプロセッサ６５６は、Ｌ１レイヤの様々な信号処理機能を実施する。ＲＸプロセッサ６５６は、ＵＥ６５０に宛てられた空間ストリームを復元するために、情報に対して空間処理を実行し得る。複数の空間ストリームがＵＥ６５０に宛てられた場合、それらの空間ストリームはＲＸプロセッサ６５６によって単一のＯＦＤＭシンボルストリームに合成され得る。ＲＸプロセッサ６５６は、その後、高速フーリエ変換（ＦＦＴ）を用いてＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟決定は、チャネル推定器６５８によって計算されるチャネル推定値に基づき得る。軟決定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
[0054]コントローラ／プロセッサ６５９はＬ２レイヤを実装する。コントローラ／プロセッサは、プログラムコードとデータとを記憶するメモリ６６０に結合され得る。メモリ６６０はコンピュータ可読媒体と呼ばれる場合がある。ＵＬにおいて、コントローラ／プロセッサ６５９は、コアネットワークからの上位レイヤパケットを復元するために、トランスポートチャネルと論理チャネルとの間の逆多重化と、パケットリアセンブリと、暗号解読（decipher）と、ヘッダ解凍（decompression）と、制御信号処理とを提供する。上位レイヤパケットは、その後、Ｌ２レイヤの上方のすべてのプロトコルレイヤを表す、データシンク６６２に与えられる。また、種々の制御信号が、Ｌ３処理のためにデータシンク６６２に与えられ得る。コントローラ／プロセッサ６５９は、ＨＡＲＱ演算をサポートするために肯定応答（ＡＣＫ）および／または否定応答（ＮＡＣＫ）プロトコルを使用して誤り検出も担当する。
【００３２】
[0055]ＵＬにおいて、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明された機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。また、コントローラ／プロセッサ６５９は、ＨＡＲＱ演算と、紛失パケットの再送と、ｅＮＢ６１０へのシグナリングとを担う。
【００３３】
[0056]ｅＮＢ６１０によって送信される基準信号またはフィードバックからの、チャネル推定器６５８によって導出されるチャネル推定値は、適切な符号化および変調方式を選択することと、空間処理を容易にすることとを行うために、ＴＸプロセッサ６６８によって使用され得る。ＴＸプロセッサ６６８によって生成された空間ストリームは、別個の送信機６５４ＴＸを介して異なるアンテナ６５２に供給され得る。各送信機６５４ＴＸは、送信のためにそれぞれの空間ストリームを用いてＲＦキャリアを変調し得る。
【００３４】
[0057]ＵＬ送信は、ＵＥ６５０における受信機機能に関して説明された方法と同様の方法で、ｅＮＢ６１０において処理される。各受信機６１８ＲＸは、それのそれぞれのアンテナ６２０を通して信号を受信する。各受信機６１８ＲＸは、ＲＦキャリア上に変調された情報を復元し、情報をＲＸプロセッサ６７０に提供する。ＲＸプロセッサ６７０はＬ１レイヤを実現することができる。
【００３５】
[0058]コントローラ／プロセッサ６７５は、Ｌ２レイヤを実装する。コントローラ／プロセッサ６７５は、プログラムコードとデータとを記憶するメモリ６７６に関連付けることができる。メモリ６７６はコンピュータ可読媒体と呼ばれる場合がある。ＵＬでは、制御／プロセッサ６７５は、ＵＥ６５０からの上位レイヤパケットを復元するために、トランスポートチャネルと論理チャネルとの間の逆多重化と、パケットリアセンブリと、暗号解読と、ヘッダ解凍と、制御信号処理とを行う。コントローラ／プロセッサ６７５からの上位レイヤパケットは、コアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0059]図７は、複数の無線機を有するＵＥ７０２の図７００である。ＵＥ７０２は、ＷＷＡＮ（２／３／４Ｇ  ＬＴＥ）無線機７０４とＷＬＡＮ（８０２．１１）無線機７０６とを含み得る。ＷＷＡＮ無線機およびＷＬＡＮ無線機は初期には、特性の（specific）通信ニーズのために設計されているが、技術の進歩およびより高いデータ転送速度（rate）へのニーズに伴って、これら２つのタイプの無線機の使用が重なり始めている。ＷＷＡＮモデム７０４を支援するためにＷＬＡＮモデム７０６が利用可能であるとき、ＷＬＡＮモデム７０６を使用することが可能であり、その逆も同様である。１つのそのような支援は、ＬＴＥのための周波数間測定の間にあり得る。たとえば、ＵＥ７０２がサービングセル７０８との接続モードにあるとき、ＷＬＡＮ無線機７０６は、サービングセル周波数以外の周波数においてＬＴＥのためのセル探索およびセル測定を支援し得る。たとえば、ＵＥ７０２は、サービングセルの信号強度が既定のしきい値と比較して弱くなったときに、潜在的なハンドオーバのために近隣セルを監視することが必要となり得る。ネイバーセルが現在のサービング周波数とは異なる周波数にあるとき、ネイバーセルの探索および測定は、周波数間セル探索および測定となる。「ターゲット」の周波数間ネイバーセル７１０のキャリア周波数は、「ターゲット周波数」と呼ばれる。ターゲット周波数がサービングセルの周波数から十分に離れているとき、ターゲット周波数での測定は、ＵＥ７０２がサービング周波数から離調（tune away）することを必要とする。ターゲット周波数はサービング周波数と同じ周波数帯域に属してもよく、または異なる周波数帯域に属してもよいことに留意されたい。
【００３７】
[0060]ＷＷＡＮモデム７０４とＷＬＡＮモデム７０６との両方を有するＵＥ７０２のベースライン動作では、ＷＷＡＮモデムがサービング周波数上でサービングセル７０８を測定する一方で、ＷＬＡＮ無線機は、１つまたは複数のターゲット周波数上で１つまたは複数のターゲットセル７１０を測定するために使用され得る。本明細書で使用するとき、「サービングセル」７０８は、ＷＷＡＮモデム７０４が現在、接続されている、すなわち無線接続を有するセルである。サービングセル７０８は、サービング周波数にわたってＵＥ７０２のＷＷＡＮモデム７０４と通信する基地局を有する。「ターゲットセル」７１０と呼ばれる周波数間セルは、ＷＷＡＮモデム７０４がサービング周波数とは異なる周波数上で周波数間測定を行うために離調する必要があるセルである。
【００３８】
[0061]ＵＥが１つの受信チェーンを有するか、またはＵＥが、すべてがサービングセルとともに動作するように構成された複数の受信チェーンを有する場合、ＬＴＥモデム７０４自体による周波数間セル探索および測定の性能は、測定を達成するために、ＵＥがサービング周波数、したがってサービングセルから他の周波数へと離調することを要求するため、ＷＬＡＮ無線機７０６からの支援は、有益となる。ＬＴＥモデム７０４は、測定ギャップと呼ばれる指定された時間の間、離調し得る。周波数間測定ギャップは、周波数間セル探索および測定のためにＵＥをサービング周波数から離調させるサービングｅＮＢによって構成される。ＵＥは、これらの測定ギャップの間はいかなるＤＬパケットもスケジュールされず、したがって、サービングセル７０８からいかなるデータも受信していない。同様に、ＵＥは、これらの測定ギャップの間はサービングセル７０８にＵＬパケットを送信し得ない。この結果、ＵＥがいかなる測定ギャップをもスケジュールされない場合とは対照的に、ＤＬおよびＵＬスループットの損失を生じる。
【００３９】
[0062]周波数間測定を支援するためにＷＬＡＮモデム７０６を使用することによって測定ギャップが回避され、結果として、より高いスループットとより良好なユーザエクスペリエンスがもたらされる。ＷＬＡＮモデム７０６は、ＷＷＡＮモデム７０４が接続モードにある間、アイドルモードにあり得る。したがって、ＷＬＡＮモデム７０６は、周波数間のＷＷＡＮ測定を支援するために利用可能である。ＷＬＡＮモデム７０６が接続モードにあるときでも、ＷＬＡＮモデム７０６は、必要な場合、ＷＷＡＮ周波数間測定のためにＷＬＡＮ  Ｔｘ／Ｒｘにギャップを作成し得る。
【００４０】
[0063]図８は、時間領域におけるＴＤＤ−ＬＴＥの無線通信フレーム構造の図８００である。各無線フレーム８０２は１０ｍｓ長であり、２つの５ｍｓハーフフレーム８０４、８０６を含んでいる。各ハーフフレーム８０４、８０６は、第１のハーフフレームではサブフレーム＃０からサブフレーム＃４、第２のハーフフレーム（図８には図示せず）ではサブフレーム＃５からサブフレーム＃９と指定される５つの１ｍｓサブフレーム８０８を含んでいる。したがって、１つの無線フレーム８０２は、サブフレーム＃０からサブフレーム＃９と指定される１０個のサブフレーム８０８を含んでいる。
【００４１】
[0064]ＴＴＤ−ＬＴＥでは、サブフレーム＃０およびサブフレーム＃５は常にダウンリンクサブフレームであり、サブフレーム＃１は常に、ダウンリンクからアップリンクへの切替えを示す特殊なサブフレームであり、サブフレーム＃２は常にアップリンクサブフレームである。サブフレームの残りは、ＵＬ／ＤＬ構成に応じて、アップリンクもしくはダウンリンクまたは特殊なサブフレームとなり得る。特殊なサブフレーム、たとえばサブフレーム＃１  ８１０は、その間にダウンリンクアクティビティが生じる第１の領域８１２（ＤｗＰＴＳ）と、その間にアップリンクアクティビティが生じる第３の領域８１６（ＵｐＰＴＳ）と、第１の領域と第３の領域とを分離する第２の領域８１４（ＧＰ）とを含む３つの領域に分割される。
【００４２】
[0065]図９は、ＰＳＳおよびＳＳＳのロケーションを示す、図８のサブフレーム＃０およびサブフレーム＃１の図９００である。特にＬＴＥにおける周波数間ネイバーセル探索を含むセル探索は、ＰＳＳおよびＳＳＳの検出を含んでいる。ＰＳＳおよびＳＳＳは、たとえば、無線フレームごとに通信ネットワークによって周期的に送信され、同じ場所に、そして同じ時間に生じる。たとえば、ＰＳＳは５ｍｓの送信周期を有し、したがって、サブフレーム０におけるある時点で生じ、再びサブフレーム５（図示せず）における５ｍｓ後の同じ時点で生じる。ＰＳＳは次の無線フレームにおける同じ時間に生じる。ＳＳＳ信号は２つの５ｍｓの位相を有し、したがって１０ｍｓの送信周期を有する。第１の位相ＳＳＳは、サブフレーム０におけるある時点で生じ、再び次の無線フレームにおける１０ｍｓ後の同じ時点で生じる。第２の位相ＳＳＳは、サブフレーム５（図示せず）における第１の位相ＳＳＳの５ｍｓ後に生じ、再び次の無線フレームにおける１０ｍｓ後の同じ時点で生じる。
【００４３】
[0066]一般に、セル探索の実装形態は、ＰＳＳ／ＳＳＳ検出のための約５．１ｍｓの連続データサンプルを捕捉するために、測定ギャップに依存する。通常、モデムが次の周波数へと離調し、次いで信号の捕捉後に元の周波数に戻って同調するために、わずかにより大きな測定ギャップ（たとえば６ｍｓ）が必要とされる。測定ギャップは、測定ギャップパターンに応じて特定の周期で（たとえば４０ｍｓまたは８０ｍｓごとに）生じ得る。したがって、そのような検出は一般に、無線フレームの５．１ｍｓの持続期間にわたって一度に信号サンプルを収集することが可能であるモデムを必要とする。
【００４４】
[0067]ＷＷＡＮモデムは、必要とされる個数の連続的サンプルを一度に収集することが可能である。ＷＬＡＮモデムはしかしながら、必要とされる個数の連続的サンプルを一度に収集することが可能であってもよく、あるいは可能でなくてもよい。たとえば、バッファの限界および明示的なトリガリングの必要性が原因で、ＷＬＡＮモデムは、５．１ｍｓの持続期間のサンプルをワンショットで収集することが可能でないこともある。ＷＬＡＮモデムが利用可能でないか、または５．１ｍｓの持続期間のデータサンプルを一度に収集することが可能でない場合、ＷＬＡＮモデムは、複数の捕捉期間にまたがってデータサンプルを捕捉することによって、セル探索を依然として支援し得る。
【００４５】
[0068]ＦＤＤ−ＬＴＥでは、関心の信号を捕捉するために使用されるＷＬＡＮモデムのＷＬＡＮ受信チェーンは一般に、サンプル捕捉の全体にわたって一定値にある低雑音増幅器（ＬＮＡ）利得状態を有する。ＴＤＤ−ＬＴＥでは、しかしながら、ダウンリンクおよびアップリンクサブフレームは同じ共有スペクトルにわたって時間多重化されるので、受信される信号は、５．１ｍｓのサンプル捕捉にわたって著しい変動を有し得る。適切なＬＮＡ利得設定でダウンリンクサンプルを捕捉するために、自動利得制御（ＡＧＣ）アルゴリズムは、ＬＮＡ利得状態を０．５ｍｓごとに１回、設定することを必要とする。図９を参照すると、ＴＤＤ−ＬＴＥでは、各サブフレームはノーマルサイクリックプレフィックスに対して１４個のＯＤＦＭシンボルを有する。ＰＳＳおよびＳＳＳは、それぞれ１つのＯＦＤＭシンボルである。セル探索のために、ＰＳＳおよびＳＳＳは、正しいＬＮＡ利得状態で捕捉されるべきである。ＬＮＡ利得状態が低すぎる場合、ＰＳＳおよびＳＳＳは、雑音および／または緩衝のために失われ得る。他方で、ＬＮＡ利得状態が高すぎる場合、サンプル捕捉は飽和し、したがって、ＰＳＳおよびＳＳＳは結果として検出不可能となり得る。
【００４６】
[0069]ＬＮＡ利得状態の設定は、ＡＧＣアルゴリズムによって実施される計算に基づいて現在のＬＮＡ利得状態を異なる利得状態に変更すること、または、ＡＧＣアルゴリズムによって計算された利得状態が現在の利得状態と偶然、同じである場合に、現在のＬＮＡ利得状態を保持することを伴い得る。ＬＮＡ利得状態の変化は、周期的な時間境界（time boundaries）において生じる。ＬＮＡ利得状態は、残りの時間にわたって固定されたままである。周期の一般的な値は０．５ｍｓである。
【００４７】
[0070]引き続き図９を参照すると、ＳＳＳは常に、サブフレーム＃０の最後のＯＦＤＭシンボル内にあり、サブフレーム＃０は常にダウンリンクサブフレームであるため、ＳＳＳを搬送するＯＦＤＭシンボルより前の少なくとも１３個のＯＦＤＭシンボルがダウンリンクシンボルであることが保証される。したがって、測定ウィンドウに続く０．５ｍｓのウィンドウがＳＳＳを含む場合、０．５ｍｓのウィンドウのエネルギー測定から計算されるＬＮＡ利得状態は、ダウンリンク上で測定されることが保証される。さらに、０．５ｍｓの測定ウィンドウが、ＰＳＳを搬送するＯＦＤＭシンボルの前に偶然、生じた場合、ＰＳＳに至るまでの時間がサブフレーム＃１のダウンリンク領域内に入るため、ＬＮＡ利得設定もまたダウンリンクで測定されることが保証される。したがって、エネルギーが各０．５ｍｓのウィンドウにおいて測定され、ＬＮＡ利得状態がその０．５ｍｓのウィンドウに対して導出され、次の０．５ｍｓのウィンドウに適用される場合、ＬＮＡ利得状態はそのＰＳＳおよびＳＳＳに対して正しくなる。ＬＮＡ利得状態を導出および設定するこのプロセスは、パイプライン動作と呼ばれる。
【００４８】
[0071]図１０は、ＬＮＡ利得状態を導出および設定するためのパイプライン動作の図１０００である。このパイプラインは、５ｍｓの捕捉期間１００４が後に続く５ｍｓの測定期間１００２を含んでいる。測定期間１００２は、複数（ｎ個）の隣接する測定持続時間１００６に分割される。この例では、５ｍｓの期間は、１０個の０．５ｍｓの持続時間に分割される。捕捉期間１００４は、複数（ｎ個）の隣接する捕捉持続時間１００８に分割される。この例では、５ｍｓの期間は、１０個の０．５ｍｓの持続時間に分割される。これらの持続時間１００６、１００８は「ティック」と呼ばれ、また、測定期間１００２の場合には、ＬＮＡ利得状態を導出するためにエネルギー測定が取得される測定ウィンドウに対応する。捕捉期間１００４の場合、ティックは、データサンプルが捕捉される捕捉持続時間に対応する。測定ティック１００６および捕捉ティック１００８のいずれも、図８および９に示すＬＴＥサブフレームまたはスロットと必ずしも整合するとは限らない場合がある。測定期間１００２および捕捉期間１００４の持続時間は、捕捉されるべき関心の信号の関数となり得る。たとえば、ＰＳＳ送信の周期が５ｍｓであり、ＳＳＳ位相１および位相２の送信の周期が１０ｍｓであるため、図１０における測定期間１００２および捕捉期間１００４は５ｍｓである。
【００４９】
[0072]パイプライン動作では、エネルギーが各測定ティック１００６内で測定され、ＬＮＡ利得状態がその測定値に基づいて導出される。ティックｎにおいて計算された、導出されたＬＮＡ状態は、次の５ｍｓの捕捉期間１００４内でティックｎ＋１において適用される。たとえば、ティック＃０において、ＬＮＡ利得状態が、そのティックの間に取得されたエネルギー測定に基づいて、当該技術分野で知られている技法を用いて導出され、その導出されたＬＮＡ利得状態は、次の５ｍｓの捕捉期間１００４においてティック＃１に適用される。導出されたＬＮＡ利得状態を後続のティックに適用する際の遅延は、それを、ＬＮＡ利得状態を処理および導出する際の遅延のために利用可能でない場合があるすぐ次のティックに適用する際に必要である。ＬＮＡ利得状態が、ＷＬＡＮ  ＡＤＣ捕捉経路ハードウェア上で０．５ｍｓごとに変更され得る場合、上記で説明した従来のパイプラインアルゴリズムは、そのまま適用され得る。しかしながら、ＬＮＡ利得状態を０．５ｍｓごとに変更することは、ハードウェアに余分な負荷を与え得る。
【００５０】
[0073]本明細書では、上述の負荷を低減する、ＷＬＡＮ受信チェーンを用いてＷＷＡＮによって周期的に送信される関心の信号を捕捉するための技法が開示される。いくつかの技法は、関心の信号、たとえばＰＳＳおよびＳＳＳが、送信の周期性を有し、たとえば５ｍｓごとに送信されるという事実を利用している。これらの技法では、データサンプルは複数の捕捉期間にわたって捕捉され、長さ５ｍｓの連続的データサンプルを形成するように連結される。他の技法では、単一の捕捉期間の間に５ｍｓのデータサンプル捕捉を可能にする単一のＬＮＡ利得状態が選択される。
【００５１】
[0074]図１１は、ＷＷＡＮによって周期的に送信される関心の信号を含む連続的データを形成するために、複数の捕捉期間にまたがって複数のデータサンプルを捕捉する方法のフローチャート１１００である。この方法は、ＵＥによって実施され得る。図１２は、図１１の方法の例示的な記述であり、それぞれの複数の隣接ティック１２０４、１２１０によってそれぞれが規定される複数の捕捉期間１２０２、１２０８と、捕捉ティック１２０６、１２１２のセットの間に捕捉されたデータサンプルによって形成される連続データ１２２０とを含んでいる。
【００５２】
[0075]図１１に戻ると、ステップ１１０２において、ＵＥは、複数のティックの各々に対してエネルギー測定値を取得し、ティックの各々に対してＬＮＡ利得状態を計算する。エネルギー測定値は、測定期間１２０４内の各測定ティック１２０２に対して取得される。たとえば、５ｍｓの測定期間１２０４の場合、１０個のエネルギー測定値が取得され得るが、各測定値は、０．５ｍｓの測定ティック１２０２に対する測定値に対応する。エネルギー測定のための実際の持続時間は０．５ｍｓ未満となり得る。言い換えれば、測定ティック１２０２が持続時間において０．５ｍｓである間、そのティックに対するエネルギー測定は、０．５ｍｓ未満のティックの一部分に基づき得る。ティックエネルギーを測定し、ＬＮＡ利得状態を計算するプロセスは、当技術分野で知られており、したがって本明細書では説明されない。
【００５３】
[0076]ステップ１１０４では、複数の隣接ティック１２０８によって規定される第１の捕捉期間１２０６にわたって、ＵＥは捕捉ティック１２１０の第１のセットの間にデータサンプルを捕捉する。捕捉ティック１２１０の第１のセットは、複数の隣接ティック１２０８の第１のサブセットを含む。捕捉は、切替え可能なＬＮＡ利得状態を有するＷＬＡＮ受信チェーンを使用して行われる。
【００５４】
[0077]ステップ１１０６において、ＵＥは、データサンプルが以前に捕捉されていない複数の隣接ティック１２１４の付加的なサブセットを備える、捕捉ティック１２１６の少なくとも１つの付加的なセットの間に、データサンプルを捕捉するために、複数の隣接ティック１２１４によって規定される少なくとも１つの付加的な捕捉期間１２１２にわたって捕捉を反復する。
【００５５】
[0078]ステップ１１０８において、ＵＥは、複数の捕捉期間１２０６、１２１２にまたがって、少なくとも１回、ＬＮＡ利得状態を切り替える。たとえば、ＬＮＡ利得状態は、捕捉期間１２０６、１２１２のうちの１つまたは複数の１つまたは複数の無捕捉ティック１２１８、１２２０の間に、切り替えられ得る。代替的に、ＬＮＡ利得状態は、捕捉期間の間の遅延時間１２２２の間に切り替えられてもよい。
【００５６】
[0079]ステップ１１１０では、ＵＥは、２つの捕捉期間１２０６、１２１２の間に捕捉されるデータサンプルを組み合わせることによって、連続データ１２２４を形成するために、捕捉されたデータサンプルを処理する。たとえば、データサンプルは連結されてもよい。
【００５７】
[0080]上述のように、一構成では、ＬＮＡ利得状態は、捕捉期間１２０６、１２１２の１つまたは複数の無捕捉ティック１２１８、１２２０の間に、切り替えられ得る。この構成の場合、捕捉ティック１２１０、１２１６の各々は、たとえばステップ１００２において決定されるような、関連するＬＮＡ利得状態を有する。ＷＬＡＮ受信チェーンのＬＮＡ利得状態は、捕捉ティックのセットにおける次の捕捉ティック１２１０、１２１６のＬＮＡ利得状態に対応するように、無捕捉期間（no capture period）１２１８、１２２０の間に切り替えられる。
【００５８】
[0081]図１３を参照すると、捕捉ティックのセットが、たとえば、複数の隣接ティック内における１つおきのティック、複数の隣接ティック内における２つおきのティック、および複数の隣接ティック内における３つおきのティックを含めて、ティックのパターンによって特徴付けられ得る。このパターンは、ＬＮＡ利得状態のスイッチ時間の関数であり得る。たとえば、ＬＮＡ利得状態のスイッチ時間が０．５ｍｓ〜１ｍｓである場合、第１の捕捉期間にわたって、ティック＃０に対する導出されたＬＮＡ利得状態がＬＮＡに適用され得、サンプルは、捕捉ティック＃０に対応する時間期間にわたって捕捉され得る。この捕捉ティックには、後続する捕捉ティックがない。この無捕捉ティックの間、ＬＮＡ利得状態は、捕捉ティック＃２にわたって導出されたＬＮＡ利得状態に切り替えられる。サンプルは次いで、捕捉ティック＃２に対応する時間期間にわたって捕捉され得る。この捕捉ティックには、後続する捕捉ティックがない。このプロセスは、５ｍｓの時間期間が経過するまで反復される。
【００５９】
[0082]この５ｍｓの捕捉期間の間、データサンプルは、偶数ティックの間に捕捉される。５ｍｓの連続データを形成するのに十分なデータを捕捉するために、捕捉−無捕捉サイクルが第２の５ｍｓの捕捉期間の間に反復される。この捕捉期間の間、データサンプルは、奇数ティックの間に捕捉される。捕捉が存在しない間、遅延時間が、２つの５ｍｓの捕捉期間の間に生じる。この遅延時間は、５ｍｓを超える送信周期を有する関心の信号の捕捉を可能にするのに十分な持続時間である。たとえば、ＳＳＳの場合、位相１のＳＳＳと位相２のＳＳＳが存在する。各それぞれのＳＳＳ位相信号は、１０ｍｓごとに送信される。したがって、ＳＳＳ位相信号の一方の捕捉を確実にするために、２つの５ｍｓの捕捉期間の間の遅延時間は６ｍｓである。この遅延時間の間、第１の５ｍｓの時間期間の間に送信されなかったＳＳＳの位相が送信される。
【００６０】
[0083]捕捉の第２のサイクルを完了すると、捕捉された個々のサンプルが、データサンプルの連続アレイを形成するようにティック番号の順に投入（put）される。この連続アレイは、５ｍｓの持続時間を有し、ＰＳＳおよびＳＳＳ位相の一方など、関心の１つまたは複数の信号を含む。他のＳＳＳの位相を捕捉するために、プロセスは、最後の捕捉期間と次の捕捉期間との間の遅延時間をわずか０．５ｍｓとして、第２の５ｍｓの捕捉の完了時に反復され得る。
【００６１】
[0084]別の例では、ＬＮＡ利得状態のスイッチ時間が１．０ｍｓ〜１．５ｍｓである場合、ティック＃０に対する導出されたＬＮＡ利得状態がＬＮＡに適用され得、データサンプルは、捕捉ティック＃０に対応する時間期間にわたって捕捉され得る。この捕捉ティックには、後続する捕捉ティックがない。この無捕捉ティックの間、ＬＮＡ利得状態は、ティック＃３にわたって導出されたＬＮＡ利得状態に切り替えられる。データサンプルは次いで、捕捉ティック＃３に対応する時間期間にわたって捕捉され得る。この捕捉ティックには、その場合、後続する捕捉ティックがない。このプロセスは、５ｍｓの捕捉期間が経過するまで反復される。
【００６２】
[0085]この５ｍｓの捕捉期間の間、サンプルは、ティック２つおきに、すなわちティック＃０、３、６、および９で捕捉される。５ｍｓの連続データサンプルを形成するのに十分なデータを捕捉するために、捕捉−無捕捉サイクルがさらなる２つの５ｍｓの捕捉期間の間に反復される。これらの付加的な捕捉期間のうちの第１の捕捉期間の間、データサンプルはティック＃２、＃５および＃８の間に捕捉される。これらの付加的な捕捉期間のうちの第２の捕捉期間の間、データサンプルはティック＃１、＃４および＃７の間に捕捉される。第１の例と同様に、５ｍｓを超える送信周期を有する関心の信号の捕捉を可能にするのに十分な遅延時間が、５ｍｓの捕捉期間の間に生じる。
【００６３】
[0086]データサンプル捕捉の第２および第３のサイクルを完了すると、個々のサンプルが、データサンプルの連続アレイを形成するようにティック番号の順に投入される。この連続アレイは、５ｍｓの持続時間を有し、ＰＳＳおよびＳＳＳ位相の一方など、関心の１つまたは複数の信号を含む。
【００６４】
[0087]別の例では、ＬＮＡ利得状態のスイッチ時間が１．５ｍｓ〜２．０ｍｓである場合、ティック＃０に対する導出されたＬＮＡ利得状態がＬＮＡに適用され得、サンプルは、捕捉ティック＃０に対応する時間期間にわたって捕捉され得る。この捕捉ティックには、後続する捕捉ティックがない。この無捕捉ティックの間、ＬＮＡ利得状態は、ティック＃４にわたって導出されたＬＮＡ利得状態に切り替えられる。データサンプルは次いで、捕捉ティック＃４に対応する時間期間にわたって捕捉され得る。この捕捉ティックには、その場合、後続する捕捉ティックがない。このプロセスは、５ｍｓの捕捉期間が経過するまで反復される。
【００６５】
[0088]この５ｍｓの捕捉期間の間、データサンプルは、ティック３つおきに、すなわちティック＃０、４、および８で捕捉される。５ｍｓの連続データを形成するのに十分なデータを捕捉するために、捕捉−無捕捉サイクルがさらなる３つの５ｍｓの捕捉期間の間に反復される。これらの付加的な捕捉期間のうちの第１の捕捉期間の間、データサンプルはティック＃２および＃６の間に捕捉される。これらの付加的な捕捉期間のうちの第２の捕捉期間の間、データサンプルはティック＃１、＃５および＃９の間に捕捉される。第３の捕捉期間の間、データサンプルはティック＃３および＃７の間に捕捉される。第１の例と同様に、５ｍｓを超える送信周期を有する関心の信号の捕捉を可能にするのに十分な遅延時間が、５ｍｓの捕捉期間の間に生じる。
【００６６】
[0089]捕捉の第２、第３および第４のサイクルを完了すると、個々のデータサンプルが、データサンプルの連続アレイを形成するために、ティック番号の順に投入される。この連続アレイは、５ｍｓの持続時間を有し、ＰＳＳおよびＳＳＳ位相の一方など、関心の１つまたは複数の信号を含む。
【００６７】
[0090]図１４は、５ｍｓの周期性を有する関心の信号を捕捉するための捕捉セット１４０２、１４０６の図１４００である。捕捉ティック１４０２の第１のセットは、第１の捕捉期間１４０４の間に捕捉され、捕捉ティック１４０６の第２のセットは第２の捕捉期間１４０８の間に捕捉される。いくつかの場合には、図１３のプロセスは、５ｍｓの捕捉期間１４０２、１４０６の間の遅延時間１４１０を低減することによって促進され得る。たとえば、５ｍｓの周期を有するＰＳＳの場合、遅延時間１４１０は６ｍｓから１ｍｓに低減され得る。
【００６８】
[0091]第２の捕捉セット１４０６の完了時に、１０個の捕捉ティック１４１２の間に捕捉された１０個のデータサンプルは、５ｍｓの持続時間の連続的サンプル捕捉を形成するように連結される。次いでＰＳＳ検出が５ｍｓの持続時間で実施される。この検出の間、１０個の捕捉ティック１４１２の間に捕捉された１０個のデータサンプルのうちのいずれかの中でＳＳＳが完全に捕捉されたとＵＥが決定した場合、ＳＳＳ検出は、ＰＳＳ検出に用いられたものと同じ５ｍｓの持続時間の連続的サンプル捕捉を用いて実施され得る。ＳＳＳが、１０個の捕捉されたデータサンプルのいずれにおいても完全には捕捉されていない場合、付加的なデータサンプルが次の捕捉期間の間に捕捉される。次の捕捉期間の開始は、０．５ｍｓの遅延時間だけ第２の捕捉セット１４０６の最後のティック１４１４から分離され得る。この次の捕捉期間の間に捕捉されたデータサンプルは、第１の捕捉期間１４０４の間に捕捉されたデータサンプルと連結されて５ｍｓの連続サンプル捕捉を形成し、またＳＳＳの検出がデータの５ｍｓに対して実施される。
【００６９】
[0092]図１５は、部分的にのみ捕捉される関心の信号を捕捉するための捕捉ティック１５０２、１５０６のセットの図１５００である。捕捉ティック１５０２の第１のセットは、第１の捕捉期間１５０４の間に捕捉され、捕捉ティック１５０６の第２のセットは第２の捕捉期間１５０８の間に捕捉される。いくつかの場合には、ＰＳＳまたはＳＳＳのいずれかが、１０個の捕捉ティック１５１２の間に捕捉されたデータサンプルのいずれかにおいて部分的に捕捉され得る。この場合、捕捉ティック１５１２の持続期間は、．５ｍｓ＋１のＯＦＤＭシンボルに増加され得、無捕捉ティック１５１４の持続時間は、．５ｍｓ−１のＯＦＤＭシンボル持続時間に減少され得る。ＴＤＤでは、ＰＳＳおよびＳＳＳは、３つのＯＦＤＭシンボルだけ分離され、したがって、説明したように捕捉ティック１５１２および無捕捉ティック１５１４の持続時間を調節することにより、ＰＳＳおよびＳＳＳのいずれもが１０個の捕捉ティック１５１２のいずれにおいても部分的に捕捉されないことが確実となる。この構成では、捕捉されたデータサンプルは組み合わされない。代わりに、データサンプルは直接、ＰＳＳおよびＳＳＳ検出エンジンに供給される。
【００７０】
[0093]いくつかの場合には、ＬＮＡ利得状態の数は制限され得る。たとえば、３つまたは４つの異なる状態が存在し得る。したがって、別の構成では、データサンプルは、複数の捕捉期間の間に捕捉され得、ＬＮＡ利得状態は各それぞれの捕捉期間の間に依然として固定され、捕捉期間の間に変更される。
【００７１】
[0094]たとえば、図１２を参照すると、ＷＬＡＮ受信チェーンのＬＮＡ利得状態は、第１の捕捉期間１２０６の間、第１のＬＮＡ利得状態に設定され得る。第１のＬＮＡ利得状態は、複数の隣接ティック１２０８に対して以前に導出された複数のＬＮＡ利得状態のうちの１つに対応し得る。第２の捕捉期間１２１２の間、および第１の捕捉期間１２０６と第２の捕捉期間１２１２との間の遅延時間１２２２の間にデータサンプルを捕捉するより前に、ＷＬＡＮ受信チェーンのＬＮＡ利得状態は、複数のＬＮＡ利得状態のうちの１つに対応する別のＬＮＡ利得状態に切り替えられる。
【００７２】
[0095]複数のＬＮＡ利得状態は、捕捉期間１２０４内の各ティックに対してＬＮＡ利得状態を決定することによって導出される。たとえば、１０個の０．５ｍｓの測定ティック１２０２を有する５ｍｓの捕捉期間の場合、エネルギーは各ティックごとに測定される。エネルギー測定に対する持続時間は、ティック１２０２の持続時間よりも短くなり得る。これにより、１０個のエネルギー測定結果が得られる。これらの測定結果に基づいて、ＬＮＡ利得状態が、当技術分野で知られている技法を用いて各ティックに対して導出される。いくつかの場合には、いくつかのティックが同じＬＮＡ利得状態を有し得る。したがって、ＬＮＡ利得状態の数は、ティックの数よりも少なくなり得る。
【００７３】
[0096]図１６を参照すると、結果として得られる異なるＬＮＡ利得状態が３つのみ存在すると仮定して、プロセスは次のように進行する。ＬＮＡ利得状態は、第１の捕捉期間１６０２の間、３つの状態のうちの第１の状態に設定される。データサンプルは、第１のＬＮＡ利得状態に対応するＬＮＡ利得状態を有する、第１の捕捉期間１６０２内のティック１６０４に対して捕捉される。第１の捕捉期間１６０２の間に捕捉された捕捉データサンプルは、捕捉データサンプル１６０６の第１のセットを形成する。
【００７４】
[0097]遅延時間１６０８の間、ＬＮＡ利得状態は、第２の捕捉期間１６１０の間、３つの状態のうちの第２の状態に設定される。データサンプルは、第２のＬＮＡ利得状態に対応するＬＮＡ利得状態を有する、第２の捕捉期間１６１０内のティック１６１２に対して捕捉される。第２の捕捉期間１６１０の間に捕捉された捕捉データサンプルは、捕捉データサンプル１６１４の第２のセットを形成する。
【００７５】
[0098]遅延時間１６１６の間、ＬＮＡ利得状態は、第３の捕捉期間１６１８の間、３つの状態のうちの第３の状態に設定される。データサンプルは、第２のＬＮＡ利得状態に対応するＬＮＡ利得状態を有する、第３の捕捉期間１６１８内のティック１６２０に対して捕捉される。第３の捕捉期間１６１８の間に捕捉された捕捉データサンプルは、捕捉データサンプル１６２２の第３のセットを形成する。
【００７６】
[0099]第３の捕捉期間１６１８の完了時に、ＵＥは、３つの捕捉セット１６０６、１６１４、１６２２を取得していることになり、これらの組合せは、各捕捉ティックに対するデータサンプルを含む。３つの捕捉期間１６０２、１６０８、１６１２にまたがって捕捉された１０個のデータサンプルは次いで、連続データ１６２４を形成するように組み合わされる。
【００７７】
[00100]この構成では、ティック捕捉のパターンは一意ではない。言い換えれば、図１３を参照しながら前に説明した１つおき、２つおき、３つおきのパターンが当てはまらない。捕捉ティック１６０４、１６１２、１６２０の持続時間は、増加または減少され得る。そうすることは、しかしながら、捕捉期間内のティック数に、したがって計算すべきその数のＬＮＡ利得状態に影響を与える。また、この構成では、複数のＷＬＡＮ受信チェーンが利用可能である場合、データ捕捉は、第１の捕捉セットがあるＷＬＡＮ受信チェーンによって行われる状態でインターレースされ得、他の捕捉セットは、別のＷＬＡＮ受信チェーンによって行われ得る。
【００７８】
[00101]ＵＥは、エネルギー測定およびＬＮＡ利得状態の数に基づいて、上記の構成のいずれか１つを用いることを決定し得る。たとえば、図１６を参照しながら上記で説明したように、少数のＬＮＡ利得状態が導出される場合、ＵＥは、ＬＮＡ利得状態が各捕捉期間の間に数回切り替えられる、図１３を参照しながら上記で説明した技法とは対照的に、ＬＮＡ利得状態が３回のみ変更される、図１６の技法を実装することを決定し得る。
【００７９】
[00102]図１７は、ＷＷＡＮによって周期的に送信される関心の信号を含んだ連続データを形成するように複数の捕捉期間にまたがって複数のデータサンプルを捕捉する例示的な装置１７０２内の種々のモジュール／手段／構成要素の間のデータフローを示す概念的なデータフロー図１７００である。装置１７０２はＵＥであってもよい。装置１７０２は、捕捉モジュール１７０４と、ＬＮＡ利得状態モジュール１７０６と、データサンプル処理モジュール１７０８と、検出モジュール１７１０とを含んでいる。
【００８０】
[00103]捕捉モジュール１７０４は、複数の隣接ティックによって規定される第１の捕捉期間内の捕捉ティックの第１のセットの間に、データサンプルを捕捉する。捕捉ティックの第１のセットは、複数の隣接ティックの第１のサブセットを含み、捕捉は、切替え可能なＬＮＡ利得状態を有するＷＬＡＮ受信チェーンを使用して行われる。捕捉モジュール１７０４は、データサンプルが以前に捕捉されていない複数の隣接ティックの付加的なサブセットを備える、捕捉ティックの少なくとも１つの付加的なセットの間にデータサンプルを捕捉するために、複数の隣接ティックによって規定される少なくとも１つの付加的な捕捉期間にわたって捕捉を反復する。捕捉の間、捕捉モジュールは、複数の捕捉期間にまたがって少なくとも１回、ＷＬＡＮ受信チェーンのＬＮＡ利得状態を切り替える。
【００８１】
[00104]ＬＮＡ利得状態モジュール１７０６は、捕捉期間内の複数の隣接ティックの各々に対してＬＮＡ利得状態を決定する。捕捉モジュール１７０４は、捕捉プロセスの間にこれらのＬＮＡ利得状態を使用する。データサンプル処理モジュール１７０８は、連続データを形成するためにその捕捉されたデータサンプルを処理し、検出モジュール１７１０は、関心の信号、たとえばＰＳＳおよびＳＳＳを検出するためにその連続データを処理する。
【００８２】
[00105]本装置は、上述した図１１のフローチャートおよび図１２〜１６の略図においてアルゴリズムのステップの各々を実施する付加的なモジュールを含み得る。したがって、図１１の上述したフローチャートおよび図１２〜１６の略図における各ステップは１つのモジュールによって実施され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００８３】
[00106]図１８は、処理システム１８１４を採用する装置１８０２’のためのハードウェア実装形態の一例を示す図１８００である。処理システム１８１４は、バス１８２４によって概略的に表されるバスアーキテクチャを用いて実装され得る。バス１８２４は、処理システム１８１４の特定の適用例および全体的な設計制約に応じて、任意の数の相互接続バスとブリッジとを含み得る。バス１８２４は、プロセッサ１８０４によって表される１つまたは複数のプロセッサおよび／またはハードウェアモジュールと、モジュール１７０４、１７０６、１７０８、１７１０と、コンピュータ可読媒体／メモリ１８０６とを含む様々な回路を互いにリンクする。バス１８２４はまた、タイミングソース、周辺装置、電圧調整器、および電力管理回路などの、様々な他の回路をリンクし得るが、これらの回路は当技術分野においてよく知られており、したがって、これ以上説明しない。
【００８４】
[00107]処理システム１８１４は、ＷＬＡＮトランシーバ１８１０に結合され得る。トランシーバ１８１０は、１つまたは複数のアンテナ１８２０に結合される。トランシーバ１８１０は、送信媒体を介して様々な他の装置と通信するための手段を提供する。トランシーバ１８１０は、１つまたは複数のアンテナ１８２０から信号を受信し、受信された信号から情報を抽出し、抽出された情報を処理システム１８１４に提供する。加えて、トランシーバ１８１０は、処理システム１８１４から情報を受信し、受信された情報に基づいて、１つまたは複数のアンテナ１８２０に適用されるべき信号を生成する。
【００８５】
[00108]処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む一般的な処理を担当する。ソフトウェアは、プロセッサ１８０４によって実行されたとき、処理システム１８１４に、特定の装置のための上記で説明した様々な機能を実行させる。コンピュータ可読媒体／メモリ１８０６はまた、ソフトウェアを実行するときにプロセッサ１８０４によって操作されるデータを記憶するために使用され得る。処理システムは、モジュール１７０４、１７０６、１７０８および１７１０のうちの少なくとも１つをさらに含む。それらのモジュールは、プロセッサ１８０４中で動作し、コンピュータ可読媒体／メモリ１８０６中に常駐する／記憶されたソフトウェアモジュールであるか、プロセッサ１８０４に結合された１つまたは複数のハードウェアモジュールであるか、またはそれらの何らかの組合せであり得る。処理システム１８１８は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００８６】
[00109]一構成では、ワイヤレス通信用の装置１７０２／１７０２’は、複数の隣接ティックによって規定される第１の捕捉期間内の捕捉ティックの第１のセットの間にデータサンプルを捕捉するための手段を含む。捕捉ティックの第１のセットは、複数の隣接ティックの第１のサブセットを含み、捕捉は、切替え可能なＬＮＡ利得状態を有するＷＬＡＮ受信チェーンを使用して行われる。本装置１７０２／１７０２’はまた、データサンプルが以前に捕捉されていない複数の隣接ティックの付加的なサブセットを備える、捕捉ティックの少なくとも１つの付加的なセットの間にデータサンプルを捕捉するために、複数の隣接ティックによって規定される少なくとも１つの付加的な捕捉期間にわたって捕捉を反復するための手段を含み得る。捕捉の間、捕捉モジュールは、複数の捕捉期間にまたがって少なくとも１回、ＷＬＡＮ受信チェーンのＬＮＡ利得状態を切り替える。本装置１７０２／１７０２’は、捕捉期間内の複数の隣接ティックの各々に対してＬＮＡ利得状態を決定するための手段と、連続データを形成するためにその捕捉されたデータサンプルを処理するための手段と、関心の信号、たとえばＰＳＳおよびＳＳＳを検出するために連続データを処理するための手段とをさらに含み得る。
【００８７】
[00110]上述の手段は、上述の手段によって記載される機能を実行するように構成された、装置１７０２、および／または装置１７０２’の処理システム１７１８の上述のモジュールのうちの１つまたは複数であり得る。上記で説明したように、処理システム１８１４は、ＴＸプロセッサ６６８と、ＲＸプロセッサ６５６と、コントローラ／プロセッサ６５９とを含み得る。したがって、一構成では、上述の手段は、上述の手段によって記載される機能を実行するように構成された、ＴＸプロセッサ６６８、ＲＸプロセッサ６５６、およびコントローラ／プロセッサ６５９であってよい。
【００８８】
[00111]図１９は、ＷＷＡＮによって周期的に送信される関心の信号をデータサンプルが含む、ＷＬＡＮ受信チェーンを使用して単一の捕捉期間の間に複数のデータサンプルを捕捉する方法のフローチャート１９００である。この方法は、ＵＥによって実施され得る。
【００８９】
[00112]ステップ１９０２において、ＵＥは、ＷＬＡＮ受信チェーンに対する複数の利用可能なＬＮＡ利得状態の中から好ましいＬＮＡ利得状態を選択する。いくつかの構成では、複数の利用可能な利得状態は、ＬＮＡ利得状態の離散集合に限定され得る。他の構成では、複数の利用可能なＬＮＡ利得状態は、エネルギー測定に基づいて導出され得る。
【００９０】
[00113]ステップ１９０４において、ＵＥは、選択されたＬＮＡ利得状態にＷＬＡＮ受信チェーンのＬＮＡ利得状態を設定する。ステップ１９０６において、ＵＥは、捕捉期間内の複数の連続的捕捉ティックの各々の間にデータサンプルを捕捉する。ステップ１９０８において、ＵＥは、関心の信号に関して検出するためにそのデータサンプルを処理する。
【００９１】
[00114]図２０および２１は、複数の利用可能な利得状態がＬＮＡ利得状態の離散集合に限定され得る場合における、図１９の方法の例示的な記述である。たとえば、一実装形態では、ＬＮＡは、それぞれ低度、中度、および高度の受信信号電力レベルに対する３つの利得状態Ｇ０、Ｇ１およびＧ２のみを有し得る。
【００９２】
[00115]図２０では、複数のＷＬＡＮ受信チェーンが利用可能である。この場合、ＵＥは、単一の捕捉期間の間に複数のＷＬＡＮ受信チェーンによって捕捉されたデータサンプルに基づいて、好ましいＬＮＡ利得状態を選択する。好ましいＬＮＡ利得状態は、複数のＷＬＡＮ受信チェーンの各々のＬＮＡ利得状態を利用可能なＬＮＡ利得状態のうちの異なる１つに設定し、複数の隣接ティックによって規定される捕捉期間にわたって複数のＷＬＡＮ受信チェーンの各々を使用してデータサンプルを捕捉することによって選択される。
【００９３】
[00116]たとえば、図２０に示すように、２つのＷＬＡＮ受信チェーンが利用可能である場合、第１のＷＬＡＮ受信チェーンは利得状態Ｇ０に設定され得、また５．１ｍｓであり得る捕捉期間にわたってデータサンプルを捕捉し得る。第２のＷＬＡＮ受信チェーンは、利得状態Ｇ１に設定され得、また同じ捕捉期間にわたってデータサンプルを捕捉し得る。次の捕捉期間の間、第１のＷＬＡＮ受信チェーンは、再び利得状態Ｇ０に設定され得、第２のＷＬＡＮ受信チェーンは、利得状態Ｇ２に設定され得る。
【００９４】
[00117]別の例では、３つのＷＬＡＮ受信チェーンが利用可能である場合、第１のＷＬＡＮ受信チェーンは利得状態Ｇ０に設定され得、また５．１ｍｓであり得る捕捉期間にわたってデータサンプルを捕捉し得る。第２のＷＬＡＮ受信チェーンは、利得状態Ｇ１に設定され得、また同じ捕捉期間にわたってデータサンプルを捕捉し得る。第３のＷＬＡＮ受信チェーンは、利得状態Ｇ２に設定され得、また同じ時間期間にわたってデータサンプルを捕捉し得る。
【００９５】
[00118]データサンプルが、利用可能なＷＬＡＮ受信チェーンの各々によって捕捉された後、ＵＥは、ＬＮＡ利得状態を有するＷＬＡＮ受信チェーンによって捕捉されたデータサンプルに基づいて、ＬＮＡ利得状態の各々に対する測定値を取得する。最良の測定値に対応するＬＮＡ利得状態が、好ましいＬＮＡ利得状態として選択される。一構成では、測定値は信号品質測定値である。たとえば、セルＩＤ検出のためのメトリクス、たとえばＰＳＳ＿ＳＮＲおよびＳＳＳ＿ＳＮＲが取得され得る。それぞれのメトリクスが比較され、最高の（highest）ＰＳＳ＿ＳＮＲおよび／またはＳＳＳ＿ＳＮＲに対応するＬＮＡ利得状態がＬＮＡ利得状態として選択される。一般に、結果として最高のＰＳＳ＿ＳＮＲを生じるＬＮＡ利得状態はまた、結果として最高のＳＳＳ＿ＳＮＲを生じる。
【００９６】
[00119]図２１では、単一のＷＬＡＮ受信チェーンが利用可能である。この場合、ＵＥは、複数の捕捉期間の間に単一のＷＬＡＮ受信チェーンによって捕捉されたデータサンプルに基づいて、好ましいＬＮＡ利得状態を選択する。好ましいＬＮＡ利得状態は、ＷＬＡＮ受信チェーンのＬＮＡ利得状態を第１のＬＮＡ利得状態に設定することと、複数の隣接ティックによって規定される第１の捕捉期間にわたってＷＬＡＮ受信チェーンを使用してデータサンプルを捕捉することと、少なくとも１つの付加的なＬＮＡ利得状態に対して設定および捕捉を反復することとによって選択される。
【００９７】
[00120]たとえば、単一のＷＬＡＮ受信チェーンが利用可能である場合、ＷＬＡＮ受信チェーンは利得状態Ｇ０に設定され得、また５．１ｍｓであり得る第１の捕捉期間にわたってデータサンプルを捕捉し得る。この後、ＷＬＡＮ受信チェーンは、利得状態Ｇ２に設定され得、また第２の捕捉期間にわたってデータサンプルを捕捉し得る。次に、ＷＬＡＮ受信チェーンは、利得状態Ｇ３に設定され得、また第３の捕捉期間にわたってデータサンプルを捕捉し得る。
【００９８】
[00121]データサンプルがＷＬＡＮ受信チェーンによって捕捉された後、ＵＥは、ＷＬＡＮ受信チェーンによって捕捉されたデータサンプルに基づいて、ＬＮＡ利得状態の各々に対する測定値を取得する一方で、そのＬＮＡ利得状態に設定する。最良の測定値に対応するＬＮＡ利得状態が、好ましいＬＮＡ利得状態として選択される。一構成では、その測定値は、ＰＳＳ＿ＳＮＲなどの品質測定値であり、ＳＳＳ＿ＳＮＲが取得され得る。
【００９９】
[00122]図２２を参照すると、単一の捕捉期間の間に関心の信号を捕捉する別の技法では、データサンプルは、単一のＬＮＡ利得設定を使用して捕捉され、その結果は、ＬＮＡ利得を調節するためにデジタルで補償される。測定期間２２０２の間、ＬＮＡ利得状態は固定値に設定され、サンプルは、測定期間の持続時間、たとえば５ｍｓにわたって収集される。収集されたサンプルは、測定期間２２０２内の複数の０．５ｍｓの測定ティック２２０４の各々に対してエネルギー測定値を決定するための処理である。各ティック２２０４に対するＬＮＡ利得状態は、そのティックに対するエネルギー測定値に基づいて決定される。
【０１００】
[00123]ＬＮＡ利得状態、Ｇ［ｎｅｗ］が、ティック２２０４の各々に対して決定された利得状態（Ｇ［０］、．．．、Ｇ［９］）の関数として選択される。一般に、Ｇ［ｎｅｗ］は、信号の飽和または雑音フロアにおける（in the noise floor）受信信号の損失の可能性を最小化するように選択される。たとえば、最小の利得が選択され、５ｍｓの間の最弱の信号が雑音フロアにおいて損失されない場合、その最小の利得がＧ［ｎｅｗ］として使用されるべきである。最大の利得が選択され、信号が５ｍｓの間のいかなる時点でも飽和しない場合、その最大の利得がＧ［ｎｅｗ］として使用されるべきである。利得Ｇ［０］、．．．、Ｇ［９］が与えられると、Ｇ［ｎｅｗ］は、Ｇ＿ａｖｅｒａｇｅに設定され得るが、このＧ＿ａｖｅｒａｇｅは、セットＧ［０］．．．Ｇ［９］における最高の利得と最低の利得との中点値に近い利得である。いくつかの場合には、Ｇ＿ａｖｅｒａｇｅは結果として、雑音フロアにおける飽和も信号の損失も生じない。
【０１０１】
[00124]次に、捕捉期間２２０６の間、ＬＮＡ利得状態は選択されたＧ［ｎｅｗ］に設定され、サンプルは、測定期間の持続時間、たとえば５ｍｓにわたって各捕捉ティック２２０８に対して収集される。捕捉されたサンプルは次いで、各捕捉ティック２２０８に対してデジタル利得補償を実施することによって処理される。デジタル利得補償は、それぞれの捕捉ティック２２０８に対するエネルギー測定値から決定された最適なＬＮＡ利得状態Ｇ［０］、．．．、Ｇ［９］の各々とＧ［ｎｅｗ］と、の間の差に基づき得る。
【０１０２】
[00125]この提案では、雑音フロアにおける飽和／損失信号の可能性がない有効なＬＮＡ利得状態が存在しないことがある。このタイプの適用例に基づいた２つの考えられる解決策が存在し、それはすなわち、飽和を許可するかまたは信号を再捕捉することである。どちらの解決策を適用すべきかは、アプリケーションに依存する。たとえば、いくつかのアプリケーションは、信号飽和を許容することが可能となり得、たとえば、ＬＴＥにおける同期信号は、６４ＱＡＭを伴うＬＴＥデータよりも（more than）飽和を許容することになる。したがって、同期信号が復号されている場合、いくぶんかの飽和が許容可能となり得る。
【０１０３】
[00126]図２３を参照すると、通信されているアプリケーションが、選択されたＬＮＡ利得Ｇ［ｎｅｗ］を用いて、飽和または信号が雑音フロアにおいて損失されることを許容し得ない場合、別の捕捉が、新たなＬＮＡ利得状態、Ｇ［ｎｅｗ＿２］を用いて開始され得る。たとえば、第１の捕捉期間２３０２の捕捉ティック５の間に捕捉されたデータサンプルが飽和または損失された場合、新たなＬＮＡ利得状態が第２の捕捉期間２３０４に対して選択される。新たなＬＮＡ利得状態Ｇ［ｎｅｗ＿２］は、ティック５の間に捕捉されたデータサンプルが次の捕捉期間２３０４の間に損失されないことを確実にするように選択される。
【０１０４】
[00127]データサンプルは次いで、その新たなＬＮＡ利得状態を使用して、第２の捕捉期間２３０４の各捕捉ティックに対して捕捉される。新たなＬＮＡ利得状態Ｇ［ｎｅｗ＿２］は、ティック５の間のデータの捕捉を確実にするように特定的に選択されたものであるため、第２の捕捉期間２３０４の他のティックの間に捕捉されたデータは飽和または損失される可能性がある。次いで、第２の捕捉期間２３０４の間に捕捉されたデータに対して、デジタル補償が実施される。第１の捕捉期間２３０２の間に捕捉されたデータと第２の捕捉期間２３０４の間に捕捉されたデータは、すべての捕捉ティックから連続データを形成するために組み合わされる。
【０１０５】
[00128]図２４は、ＷＷＡＮによって周期的に送信される関心の信号を含んだ複数のデータサンプルを、ＷＬＡＮ受信チェーンを使用して単一の捕捉期間の間に捕捉するための例示的な装置２４０２内の種々のモジュール／手段／構成要素の間のデータフローを示す概念的なデータフロー図２４００である。装置２４０２はＵＥであってもよい。装置２４０２は、ＬＮＡ利得状態選択モジュール２４０４と、設定／捕捉モジュール２４０６と、検出モジュール２４０８とを含んでいる。
【０１０６】
[00129]ＬＮＡ利得状態選択モジュール２４０４は、ＷＬＡＮ受信チェーンに対する複数の利用可能なＬＮＡ利得状態の中から好ましいＬＮＡ利得状態を選択する。設定／捕捉モジュール２４０６は、ＷＬＡＮ受信チェーンのＬＮＡ利得状態を選択されたＬＮＡ利得状態に設定し、捕捉期間内の複数の連続的捕捉ティックの各々の間にデータサンプルを捕捉する。検出モジュール２４０８は、関心の信号に関して検出するためにそのデータサンプルを処理する。
【０１０７】
[00130]本装置は、上述した図１９のフローチャートおよび図２０〜２３の略図においてアルゴリズムのステップの各々を実施する付加的なモジュールを含み得る。したがって、図１９の上述したフローチャートおよび図２０〜２３の略図における各ステップは１つのモジュールによって実施され得、本装置は、それらのモジュールのうちの１つまたは複数を含み得る。モジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【０１０８】
[00131]図２５は、処理システム２５１４を採用する装置２５０２’のためのハードウェア実装形態の一例を示す図２５００である。処理システム２５１４は、バス２５２４によって概略的に表されるバスアーキテクチャを用いて実装され得る。バス２５２４は、処理システム２５１４の特定の適用例および全体的な設計制約に応じて、任意の数の相互接続バスとブリッジとを含み得る。バス２５２４は、プロセッサ２５０４によって表される１つまたは複数のプロセッサおよび／またはハードウェアモジュールと、モジュール２４０４、２４０６、２４０８と、コンピュータ可読媒体／メモリ２５０６とを含む、様々な回路を互いにリンクする。バス２５２４はまた、タイミングソース、周辺機器、電圧調整器、および電力管理回路など、様々な他の回路をリンクし得るが、これらの回路は当技術分野においてよく知られており、したがって、これ以上説明しない。
【０１０９】
[00132]処理システム２５１４は、ＷＬＡＮトランシーバ２５１０に結合され得る。トランシーバ２５１０は、１つまたは複数のアンテナ２５２０に結合される。トランシーバ２５１０は、送信媒体を介して様々な他の装置と通信するための手段を提供する。トランシーバ２５１０は、１つまたは複数のアンテナ２５２０から信号を受信し、受信された信号から情報を抽出し、抽出された情報を処理システム２５１４に提供する。加えて、トランシーバ２５１０は、処理システム２５１４から情報を受信し、受信された情報に基づいて、１つまたは複数のアンテナ２５２０に適用されるべき信号を生成する。
【０１１０】
[00133]処理システム２５１４は、コンピュータ可読媒体／メモリ２５０６に結合されたプロセッサ２５０４を含む。プロセッサ２５０４は、コンピュータ可読媒体／メモリ２５０６に記憶されたソフトウェアの実行を含む一般的な処理を担当する。ソフトウェアは、プロセッサ２５０４によって実行されたとき、処理システム２５１４に、特定の装置のための上記で説明した様々な機能を実行させる。コンピュータ可読媒体／メモリ２５０６はまた、ソフトウェアを実行するときにプロセッサ２５０４によって操作されるデータを記憶するために使用され得る。処理システムは、モジュール２４０４、２４０６、および２４０８のうちの少なくとも１つをさらに含む。それらのモジュールは、プロセッサ２５０４中で動作するか、コンピュータ可読媒体／メモリ２５０６中に常駐する／記憶されたソフトウェアモジュールであるか、プロセッサ２５０４に結合された１つまたは複数のハードウェアモジュールであるか、またはそれらの何らかの組合せであり得る。処理システム２５１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【０１１１】
[00134]一構成では、ワイヤレス通信用の装置２４０２／２４０２’は、ＷＬＡＮ受信チェーンに対する複数の利用可能なＬＮＡ利得状態の中から好ましいＬＮＡ利得状態を選択するための手段と、ＷＬＡＮ受信チェーンのＬＮＡ利得状態を選択されたＬＮＡ利得状態に設定するための手段と、捕捉期間内の複数の連続的捕捉ティックの各々の間にデータサンプルを捕捉するための手段と、関心の信号に関して検出するためにそのデータサンプルを処理するための手段とを含む。
【０１１２】
[00135]上述の手段は、上述の手段によって記載される機能を実行するように構成された、装置２４０２、および／または装置２４０２’の処理システム２４１４の上述のモジュールのうちの１つまたは複数であり得る。上記で説明したように、処理システム２４１４は、ＴＸプロセッサ６６８と、ＲＸプロセッサ６５６と、コントローラ／プロセッサ６５９とを含み得る。したがって、一構成では、上述の手段は、上述の手段によって記載される機能を実行するように構成された、ＴＸプロセッサ６６８、ＲＸプロセッサ６５６、およびコントローラ／プロセッサ６５９であってよい。
【０１１３】
[00136]開示したプロセス／フローチャートにおけるステップの特定の順序または階層は、例示的な手法の一例であることを理解されたい。設計の選好に基づいて、プロセス／フローチャートにおけるステップの特定の順序または階層が再構成されてよいことを理解されたい。さらに、いくつかのステップは組み合わされてよく、または省略されてもよい。添付の方法クレームは、様々なステップの要素を見本の順序において提示しており、提示された特定の順序または階層に限定されることを意味するものではない。
【０１１４】
[00137]以上の説明は、当業者が本明細書で説明する様々な態様を実践できるようにするために提供される。これらの態様に対する様々な変更は当業者には容易に明らかとなり、本明細書で定義された一般原理は他の態様に適用され得る。したがって、特許請求の範囲は、本明細書で示される態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では例、事例、または例示の働きをすることを意味するために使用される。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣであり得、任意のそのような組合せは、Ａ、Ｂ、またはＣのうちの１つまたは複数のメンバを含み得る。本開示全体にわたって説明される様々な態様の要素に対するすべての構造的および機能的均等物は、当業者には周知であり、または後に周知となり、参照により本明細書に明白に組み込まれ、特許請求の範囲によって包含されることを意図する。さらに、本明細書で開示するいかなることも、そのような開示が特許請求の範囲に明示的に記載されているかどうかにかかわらず、公に供するものではない。いかなるクレーム要素も、その要素が「ための手段」という句を使用して明確に記載されていない限り、ミーンズプラスファンクションとして解釈されるべきではない。
【図１】
2017523649.tif 000003
【図２】
2017523649.tif 000004
【図３】
2017523649.tif 000005
【図４】
2017523649.tif 000006
【図５】
2017523649.tif 000007
【図６】
2017523649.tif 000008
【図７】
2017523649.tif 000009
【図８】
2017523649.tif 000010
【図９】
2017523649.tif 000011
【図１０】
2017523649.tif 000012
【図１１】
2017523649.tif 000013
【図１２】
2017523649.tif 000014
【図１３】
2017523649.tif 000015
【図１４】
2017523649.tif 000016
【図１５】
2017523649.tif 000017
【図１６】
2017523649.tif 000018
【図１７】
2017523649.tif 000019
【図１８】
2017523649.tif 000020
【図１９】
2017523649.tif 000021
【図２０】
2017523649.tif 000022
【図２１】
2017523649.tif 000023
【図２２】
2017523649.tif 000024
【図２３】
2017523649.tif 000025
【図２４】
2017523649.tif 000026
【図２５】
2017523649.tif 000027
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
ワイヤレスローカルエリアネットワーク（ＷＬＡＮ）受信チェーンを使用して単一の捕捉期間の間に複数のデータサンプルを捕捉する方法であって、前記データサンプルは、ワイヤレスワイドエリアネットワーク（ＷＷＡＮ）によって周期的に送信される関心の信号を含み、前記方法は、
前記ＷＬＡＮ受信チェーンに対する複数の利用可能な低雑音増幅器（ＬＮＡ）利得状態の中から好ましいＬＮＡ利得状態を選択することと、
前記関心の信号の捕捉期間にわたって前記選択されたＬＮＡ利得状態に前記ＷＬＡＮ受信チェーンのＬＮＡ利得状態を設定することと、前記捕捉期間は、複数の連続的捕捉ティックに分割される、
前記捕捉期間内の前記複数の連続的捕捉ティックの各々の間にデータサンプルを捕捉することと、
前記関心の信号に関して検出するために前記データサンプルを処理することとを備える方法。
【請求項２】
前記好ましいＬＮＡ利得状態は、単一の捕捉期間の間に複数のＷＬＡＮ受信チェーンによって捕捉されたデータサンプルに基づいて選択される、請求項１に記載の方法。
【請求項３】
好ましいＬＮＡ利得状態を選択することは、
前記利用可能なＬＮＡ利得状態のうちの異なる１つに前記複数のＷＬＡＮ受信チェーンの各々の前記ＬＮＡ利得状態を設定することと、
前記複数の連続的捕捉ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを備え、
最高の測定値に対応する前記ＬＮＡ利得状態が、前記好ましいＬＮＡ利得状態として選択される、請求項２に記載の方法。
【請求項４】
前記測定値は信号品質測定値である、請求項３に記載の方法。
【請求項５】
前記信号品質測定値は、プライマリ同期信号（ＰＳＳ）信号対雑音比（ＳＮＲ）およびセカンダリ同期信号（ＳＳＳ）  ＳＮＲの一方を備える、請求項４に記載の方法。
【請求項６】
前記好ましいＬＮＡ利得状態は、複数の捕捉期間の間に単一のＷＬＡＮ受信チェーンによって捕捉されたデータサンプルに基づいて選択される、請求項１に記載の方法。
【請求項７】
好ましいＬＮＡ利得状態を選択することは、
第１のＬＮＡ利得状態に前記ＷＬＡＮ受信チェーンの前記ＬＮＡ利得状態を設定することと、
前記複数の連続的捕捉ティックによって規定される第１の捕捉期間にわたって前記ＷＬＡＮ受信チェーンを使用して、データサンプルを捕捉することと、
少なくとも１つの付加的なＬＮＡ利得状態に対して前記設定することおよび捕捉することを反復することと、
前記ＷＬＡＮ受信チェーンによって捕捉されたデータサンプルに基づいて、前記ＬＮＡ利得状態の各々に対する測定値を取得する一方で、そのＬＮＡ利得状態に設定することとを備え、
最高の測定値に対応する前記ＬＮＡ利得状態が、前記好ましいＬＮＡ利得状態として選択される、請求項６に記載の方法。
【請求項８】
好ましいＬＮＡ利得状態を選択することは、
捕捉期間内の複数の連続的捕捉ティックの各々に対してＬＮＡ利得状態を決定することと、
前記決定されたＬＮＡ利得状態の中から前記好ましいＬＮＡ利得状態を特定することとを備える、請求項１に記載の方法。
【請求項９】
前記好ましいＬＮＡ利得状態は、信号飽和と信号損失の少なくとも一方を最小限にする、請求項８に記載の方法。
【請求項１０】
前記好ましいＬＮＡ利得状態は、複数の決定されたＬＮＡ利得状態の中からの最小のＬＮＡ利得状態、前記複数の決定されたＬＮＡ利得状態の中からの最大のＬＮＡ利得状態、および前記決定されたＬＮＡ利得状態の平均値のうちの１つを備える、請求項８に記載の方法。
【請求項１１】
処理することは、前記複数の捕捉ティックの各々に対して、前記ティックに対する前記決定されたＬＮＡ利得状態および前記選択されたＬＮＡ利得状態に基づいて、前記ティックの間に捕捉された前記捕捉データサンプルに対するデジタル利得補償を実施することを備える、請求項１に記載の方法。
【請求項１２】
ワイヤレスローカルエリアネットワーク（ＷＬＡＮ）受信チェーンを使用して単一の捕捉期間の間に複数のデータサンプルを捕捉するための装置であって、前記データサンプルは、ワイヤレスワイドエリアネットワーク（ＷＷＡＮ）によって周期的に送信される関心の信号を含み、前記装置は、
前記ＷＬＡＮ受信チェーンに対する複数の利用可能な低雑音増幅器（ＬＮＡ）利得状態の中から好ましいＬＮＡ利得状態を選択するための手段と、
前記関心の信号の捕捉期間にわたって前記選択されたＬＮＡ利得状態に前記ＷＬＡＮ受信チェーンのＬＮＡ利得状態を設定するための手段と、前記捕捉期間は、複数の連続的捕捉ティックに分割される、
前記捕捉期間内の前記複数の連続的捕捉ティックの各々の間にデータサンプルを捕捉するための手段と、
前記関心の信号に関して検出するために前記データサンプルを処理するための手段とを備える装置。
【請求項１３】
前記好ましいＬＮＡ利得状態は、単一の捕捉期間の間に複数のＷＬＡＮ受信チェーンによって捕捉されたデータサンプルに基づいて選択される、請求項１２に記載の装置。
【請求項１４】
好ましいＬＮＡ利得状態を選択するための前記手段は、
前記利用可能なＬＮＡ利得状態のうちの異なる１つに前記複数のＷＬＡＮ受信チェーンの各々の前記ＬＮＡ利得状態を設定することと、
前記複数の連続的捕捉ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うように構成され、
最高の測定値に対応する前記ＬＮＡ利得状態が、前記好ましいＬＮＡ利得状態として選択される、請求項１３に記載の装置。
【請求項１５】
前記測定値は信号品質測定値である、請求項１４に記載の装置。
【請求項１６】
前記信号品質測定値は、プライマリ同期信号（ＰＳＳ）信号対雑音比（ＳＮＲ）およびセカンダリ同期信号（ＳＳＳ）  ＳＮＲの一方を備える、請求項１５に記載の装置。
【請求項１７】
前記好ましいＬＮＡ利得状態は、複数の捕捉期間の間に単一のＷＬＡＮ受信チェーンによって捕捉されたデータサンプルに基づいて選択される、請求項１２に記載の装置。
【請求項１８】
好ましいＬＮＡ利得状態を選択するための前記手段は、
第１のＬＮＡ利得状態に前記ＷＬＡＮ受信チェーンの前記ＬＮＡ利得状態を設定することと、
前記複数の連続的捕捉ティックによって規定される第１の捕捉期間にわたって前記ＷＬＡＮ受信チェーンを使用して、データサンプルを捕捉することと、
少なくとも１つの付加的なＬＮＡ利得状態に対して前記設定することおよび捕捉することを反復することと、
前記ＷＬＡＮ受信チェーンによって捕捉されたデータサンプルに基づいて、前記ＬＮＡ利得状態の各々に対する測定値を取得する一方で、そのＬＮＡ利得状態に設定することとを行うように構成され、
最高の測定値に対応する前記ＬＮＡ利得状態が、前記好ましいＬＮＡ利得状態として選択される、請求項１７に記載の装置。
【請求項１９】
好ましいＬＮＡ利得状態を選択するための前記手段は、
捕捉期間内の複数の連続的捕捉ティックの各々に対してＬＮＡ利得状態を決定することと、
前記決定されたＬＮＡ利得状態の中から前記好ましいＬＮＡ利得状態を特定することとを行うように構成される、請求項１２に記載の装置。
【請求項２０】
前記好ましいＬＮＡ利得状態は、信号飽和と信号損失の少なくとも一方を最小限にする、請求項１９に記載の装置。
【請求項２１】
前記好ましいＬＮＡ利得状態は、複数の決定されたＬＮＡ利得状態の中からの最小のＬＮＡ利得状態、前記複数の決定されたＬＮＡ利得状態の中からの最大のＬＮＡ利得状態、および前記決定されたＬＮＡ利得状態の平均値のうちの１つを備える、請求項１９に記載の装置。
【請求項２２】
処理するための前記手段は、前記複数の捕捉ティックの各々に対して、前記ティックに対する前記決定されたＬＮＡ利得状態および前記選択されたＬＮＡ利得状態に基づいて、前記ティックの間に捕捉された前記捕捉データサンプルに対するデジタル利得補償を実施するように構成される、請求項１２に記載の装置。
【請求項２３】
ワイヤレスローカルエリアネットワーク（ＷＬＡＮ）受信チェーンを使用して単一の捕捉期間の間に複数のデータサンプルを捕捉するための装置であって、前記データサンプルは、ワイヤレスワイドエリアネットワーク（ＷＷＡＮ）によって周期的に送信される関心の信号を含み、前記装置は、
メモリと、
前記メモリに結合された少なくとも１つのプロセッサとを備え、前記少なくとも１つのプロセッサは、
前記ＷＬＡＮ受信チェーンのための複数の利用可能な低雑音増幅器（ＬＮＡ）利得状態の中から好ましいＬＮＡ利得状態を選択することと、
前記関心の信号の捕捉期間にわたって前記選択されたＬＮＡ利得状態に前記ＷＬＡＮ受信チェーンのＬＮＡ利得状態を設定することと、前記捕捉期間は、複数の連続的捕捉ティックに分割される、
前記捕捉期間内の前記複数の連続的捕捉ティックの各々の間にデータサンプルを捕捉することと、
前記関心の信号に関して検出するために前記データサンプルを処理することとを行うように構成される装置。
【請求項２４】
前記好ましいＬＮＡ利得状態は、単一の捕捉期間の間に複数のＷＬＡＮ受信チェーンによって捕捉されたデータサンプルに基づいて選択される、請求項２３に記載の装置。
【請求項２５】
好ましいＬＮＡ利得状態を選択するために、前記少なくとも１つのプロセッサは、
前記利用可能なＬＮＡ利得状態のうちの異なる１つに前記複数のＷＬＡＮ受信チェーンの各々の前記ＬＮＡ利得状態を設定することと、
前記複数の連続的捕捉ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うようにさらに構成され、
最高の測定値に対応する前記ＬＮＡ利得状態が、前記好ましいＬＮＡ利得状態として選択される、請求項２４に記載の装置。
【請求項２６】
前記測定値は信号品質測定値である、請求項２５に記載の装置。
【請求項２７】
ワイヤレスローカルエリアネットワーク（ＷＬＡＮ）受信チェーンを使用して単一の捕捉期間の間に複数のデータサンプルを捕捉するための非一時的コンピュータ可読媒体であって、前記データサンプルは、ワイヤレスワイドエリアネットワーク（ＷＷＡＮ）によって周期的に送信される関心の信号を含み、前記コンピュータ可読媒体は、コンピュータ実行可能コードを記憶し、
前記ＷＬＡＮ受信チェーンのための複数の利用可能な低雑音増幅器（ＬＮＡ）利得状態の中から好ましいＬＮＡ利得状態を選択することと、
前記関心の信号の捕捉期間にわたって前記選択されたＬＮＡ利得状態に前記ＷＬＡＮ受信チェーンのＬＮＡ利得状態を設定することと、前記捕捉期間は、複数の連続的捕捉ティックに分割される、
前記捕捉期間内の前記複数の連続的捕捉ティックの各々の間にデータサンプルを捕捉することと、
前記関心の信号に関して検出するために前記データサンプルを処理することとを行うためのコードを備える非一時的コンピュータ可読媒体。
【請求項２８】
前記好ましいＬＮＡ利得状態は、単一の捕捉期間の間に複数のＷＬＡＮ受信チェーンによって捕捉されたデータサンプルに基づいて選択される、請求項２７に記載の非一時的コンピュータ可読媒体。
【請求項２９】
好ましいＬＮＡ利得状態を選択するためのコードは、
前記利用可能なＬＮＡ利得状態のうちの異なる１つに前記複数のＷＬＡＮ受信チェーンの各々の前記ＬＮＡ利得状態を設定することと、
前記複数の連続的捕捉ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うためのコードを備え、
最高の測定値に対応する前記ＬＮＡ利得状態が、前記好ましいＬＮＡ利得状態として選択される、請求項２８に記載の非一時的コンピュータ可読媒体。
【請求項３０】
前記測定値は信号品質測定値である、請求項２９に記載の非一時的コンピュータ可読媒体。
【手続補正２】
【補正対象書類名】明細書
【補正対象項目名】０１１４
【補正方法】変更
【補正の内容】
【０１１４】
[00137]以上の説明は、当業者が本明細書で説明する様々な態様を実践できるようにするために提供される。これらの態様に対する様々な変更は当業者には容易に明らかとなり、本明細書で定義された一般原理は他の態様に適用され得る。したがって、特許請求の範囲は、本明細書で示される態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では例、事例、または例示の働きをすることを意味するために使用される。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣであり得、任意のそのような組合せは、Ａ、Ｂ、またはＣのうちの１つまたは複数のメンバを含み得る。本開示全体にわたって説明される様々な態様の要素に対するすべての構造的および機能的均等物は、当業者には周知であり、または後に周知となり、参照により本明細書に明白に組み込まれ、特許請求の範囲によって包含されることを意図する。さらに、本明細書で開示するいかなることも、そのような開示が特許請求の範囲に明示的に記載されているかどうかにかかわらず、公に供するものではない。いかなるクレーム要素も、その要素が「ための手段」という句を使用して明確に記載されていない限り、ミーンズプラスファンクションとして解釈されるべきではない。
以下に、本願出願の当初の特許請求の範囲に記載された発明を付記する。
［Ｃ１］
ワイヤレスローカルエリアネットワーク（ＷＬＡＮ）受信チェーンを使用して単一の捕捉期間の間に複数のデータサンプルを捕捉する方法であって、前記データサンプルは、ワイヤレスワイドエリアネットワーク（ＷＷＡＮ）によって周期的に送信される関心の信号を含み、前記方法は、
前記ＷＬＡＮ受信チェーンに対する複数の利用可能なＬＮＡ利得状態の中から好ましいＬＮＡ利得状態を選択することと、
前記選択されたＬＮＡ利得状態に前記ＷＬＡＮ受信チェーンの前記ＬＮＡ利得状態を設定することと、
捕捉期間内の複数の連続的捕捉ティックの各々の間にデータサンプルを捕捉することと、
前記関心の信号に関して検出するために前記データサンプルを処理することとを備える方法。
［Ｃ２］
前記好ましいＬＮＡ利得状態は、単一の捕捉期間の間に複数のＷＬＡＮ受信チェーンによって捕捉されたデータサンプルに基づいて選択される、Ｃ１に記載の方法。
［Ｃ３］
好ましいＬＮＡ利得状態を選択することは、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを備え、
前記最大の測定値に対応する前記ＬＮＡ利得状態が、前記好ましいＬＮＡ利得状態として選択される、Ｃ２に記載の方法。
［Ｃ４］
前記測定値は信号品質測定値である、Ｃ２に記載の方法。
［Ｃ５］
前記信号品質測定値は、ＰＳＳ信号対雑音比（ＳＮＲ）およびＳＳＳ  ＳＮＲの一方を備える、Ｃ３に記載の方法。
［Ｃ６］
前記好ましいＬＮＡ利得状態は、複数の捕捉期間の間に単一のＷＬＡＮ受信チェーンによって捕捉されたデータサンプルに基づいて選択される、Ｃ１に記載の方法。
［Ｃ７］
好ましいＬＮＡ利得状態を選択することは、
第１のＬＮＡ利得状態に前記ＷＬＡＮ受信チェーンの前記ＬＮＡ利得状態を設定することと、
複数の隣接ティックによって規定される第１の捕捉期間にわたって前記ＷＬＡＮ受信チェーンを使用して、データサンプルを捕捉することと、
少なくとも１つの付加的なＬＮＡ利得状態に対して前記設定することおよび捕捉することを反復することと、
前記ＷＬＡＮ受信チェーンによって捕捉されたデータサンプルに基づいて、前記ＬＮＡ利得状態の各々に対する測定値を取得する一方で、そのＬＮＡ利得状態に設定することとを備え、
前記最大の測定値に対応する前記ＬＮＡ利得状態が、前記好ましいＬＮＡ利得状態として選択される、Ｃ６に記載の方法。
［Ｃ８］
好ましいＬＮＡ利得状態を選択することは、
捕捉期間内の複数の連続的捕捉ティックの各々に対してＬＮＡ利得状態を決定することと、
前記決定されたＬＮＡ利得状態の中から前記好ましいＬＮＡ利得状態を特定することとを備える、Ｃ１に記載の方法。
［Ｃ９］
前記好ましいＬＮＡステージは、信号飽和と信号損失の少なくとも一方を最小限にする、Ｃ８に記載の方法。
［Ｃ１０］
前記好ましいＬＮＡステージは、前記複数の決定されたＬＮＡ利得状態の中からの前記最小のＬＮＡ利得状態、前記複数の決定されたＬＮＡ利得状態の中からの前記最大のＬＮＡ利得状態、および前記決定されたＬＮＡ利得状態の平均値のうちの１つを備える、Ｃ８に記載の方法。
［Ｃ１１］
処理することは、前記複数の捕捉ティックの各々に対して、前記ティックに対する前記決定されたＬＮＡ利得状態および前記選択されたＬＮＡ利得状態に基づいて、前記ティックの間に捕捉された前記捕捉データサンプルに対してデジタル利得補償を実施することを備える、Ｃ１に記載の方法。
［Ｃ１２］
ワイヤレスローカルエリアネットワーク（ＷＬＡＮ）受信チェーンを使用して単一の捕捉期間の間に複数のデータサンプルを捕捉するための装置であって、前記データサンプルは、ワイヤレスワイドエリアネットワーク（ＷＷＡＮ）によって周期的に送信される関心の信号を含み、前記装置は、
前記ＷＬＡＮ受信チェーンに対する複数の利用可能なＬＮＡ利得状態の中から好ましいＬＮＡ利得状態を選択するための手段と、
前記選択されたＬＮＡ利得状態に前記ＷＬＡＮ受信チェーンの前記ＬＮＡ利得状態を設定するための手段と、
捕捉期間内の複数の連続的捕捉ティックの各々の間にデータサンプルを捕捉するための手段と、
前記関心の信号に関して検出するために前記データサンプルを処理するための手段とを備える装置。
［Ｃ１３］
前記好ましいＬＮＡ利得状態は、単一の捕捉期間の間に複数のＷＬＡＮ受信チェーンによって捕捉されたデータサンプルに基づいて選択される、Ｃ１２に記載の装置。
［Ｃ１４］
好ましいＬＮＡ利得状態を選択するための前記手段は、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うように構成され、
前記最大の測定値に対応する前記ＬＮＡ利得状態が、前記好ましいＬＮＡ利得状態として選択される、Ｃ１３に記載の装置。
［Ｃ１５］
前記測定値は信号品質測定値である、Ｃ１３に記載の装置。
［Ｃ１６］
前記信号品質測定値は、ＰＳＳ信号対雑音比（ＳＮＲ）およびＳＳＳ  ＳＮＲの一方を備える、Ｃ１４に記載の装置。
［Ｃ１７］
前記好ましいＬＮＡ利得状態は、複数の捕捉期間の間に単一のＷＬＡＮ受信チェーンによって捕捉されたデータサンプルに基づいて選択される、Ｃ１２に記載の装置。
［Ｃ１８］
好ましいＬＮＡ利得状態を選択するための前記手段は、
第１のＬＮＡ利得状態に前記ＷＬＡＮ受信チェーンの前記ＬＮＡ利得状態を設定することと、
複数の隣接ティックによって規定される第１の捕捉期間にわたって前記ＷＬＡＮ受信チェーンを使用して、データサンプルを捕捉することと、
少なくとも１つの付加的なＬＮＡ利得状態に対して前記設定することおよび捕捉することを反復することと、
前記ＷＬＡＮ受信チェーンによって捕捉されたデータサンプルに基づいて、前記ＬＮＡ利得状態の各々に対する測定値を取得する一方で、そのＬＮＡ利得状態に設定することとを行うように構成され、
前記最大の測定値に対応する前記ＬＮＡ利得状態が、前記好ましいＬＮＡ利得状態として選択される、Ｃ１７に記載の装置。
［Ｃ１９］
好ましいＬＮＡ利得状態を選択するための前記手段は、
捕捉期間内の複数の連続的捕捉ティックの各々に対してＬＮＡ利得状態を決定することと、
前記決定されたＬＮＡ利得状態の中から前記好ましいＬＮＡ利得状態を特定することとを行うように構成される、Ｃ１２に記載の装置。
［Ｃ２０］
前記好ましいＬＮＡステージは、信号飽和と信号損失の少なくとも一方を最小限にする、Ｃ１９に記載の装置。
［Ｃ２１］
前記好ましいＬＮＡステージは、前記複数の決定されたＬＮＡ利得状態の中からの前記最小のＬＮＡ利得状態、前記複数の決定されたＬＮＡ利得状態の中からの前記最大のＬＮＡ利得状態、および前記決定されたＬＮＡ利得状態の平均値のうちの１つを備える、Ｃ１９に記載の装置。
［Ｃ２２］
処理するための前記手段は、前記複数の捕捉ティックの各々に対して、前記ティックに対する前記決定されたＬＮＡ利得状態および前記選択されたＬＮＡ利得状態に基づいて、前記ティックの間に捕捉された前記捕捉データサンプルに対してデジタル利得補償を実施するように構成される、Ｃ１２に記載の装置。
［Ｃ２３］
ワイヤレスローカルエリアネットワーク（ＷＬＡＮ）受信チェーンを使用して単一の捕捉期間の間に複数のデータサンプルを捕捉するための装置であって、前記データサンプルは、ワイヤレスワイドエリアネットワーク（ＷＷＡＮ）によって周期的に送信される関心の信号を含み、前記装置は、
メモリと、
前記メモリに結合された少なくとも１つのプロセッサとを備え、前記少なくとも１つのプロセッサは、
前記ＷＬＡＮ受信チェーンのための複数の利用可能なＬＮＡ利得状態の中から好ましいＬＮＡ利得状態を選択することと、
前記選択されたＬＮＡ利得状態に前記ＷＬＡＮ受信チェーンの前記ＬＮＡ利得状態を設定することと、
捕捉期間内の複数の連続的捕捉ティックの各々の間にデータサンプルを捕捉することと、
前記関心の信号に関して検出するために前記データサンプルを処理することとを行うように構成される装置。
［Ｃ２４］
前記好ましいＬＮＡ利得状態は、単一の捕捉期間の間に複数のＷＬＡＮ受信チェーンによって捕捉されたデータサンプルに基づいて選択される、Ｃ２３に記載の装置。
［Ｃ２５］
好ましいＬＮＡ利得状態を選択するために、前記少なくとも１つのプロセッサは、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うようにさらに構成され、
前記最大の測定値に対応する前記ＬＮＡ利得状態が、前記好ましいＬＮＡ利得状態として選択される、Ｃ２４に記載の装置。
［Ｃ２６］
前記測定値は信号品質測定値である、Ｃ２４に記載の装置。
［Ｃ２７］
ワイヤレスローカルエリアネットワーク（ＷＬＡＮ）受信チェーンを使用して単一の捕捉期間の間に複数のデータサンプルを捕捉するためのコンピュータプログラム製品であって、前記データサンプルは、ワイヤレスワイドエリアネットワーク（ＷＷＡＮ）によって周期的に送信される関心の信号を含み、前記製品は、コンピュータ可読媒体上に記憶され、少なくとも１つのプロセッサ上で実行されると、
前記ＷＬＡＮ受信チェーンのための複数の利用可能なＬＮＡ利得状態の中から好ましいＬＮＡ利得状態を選択するステップと、
前記選択されたＬＮＡ利得状態に前記ＷＬＡＮ受信チェーンの前記ＬＮＡ利得状態を設定するステップと、
捕捉期間内の複数の連続的捕捉ティックの各々の間にデータサンプルを捕捉するステップと、
前記関心の信号に関して検出するために前記データサンプルを処理するステップとを実施するコードを備える製品。
［Ｃ２８］
前記好ましいＬＮＡ利得状態は、単一の捕捉期間の間に複数のＷＬＡＮ受信チェーンによって捕捉されたデータサンプルに基づいて選択される、Ｃ２７に記載の製品。
［Ｃ２９］
好ましいＬＮＡ利得状態を選択するためのコードは、
前記利用可能なＬＮＡ利得状態のうちの異なる１つに前記複数のＷＬＡＮ受信チェーンの各々の前記ＬＮＡ利得状態を設定することと、
複数の隣接ティックによって規定される捕捉期間にわたって前記複数のＷＬＡＮ受信チェーンのうちの各々を使用して、データサンプルを捕捉することと、
前記ＬＮＡ利得状態を有する前記ＷＬＡＮ受信チェーンによって捕捉されたデータサンプルに基づいて、前記ＬＮＡ利得状態の各々に対する測定値を取得することとを行うためのコードを備え、
前記最大の測定値に対応する前記ＬＮＡ利得状態が、前記好ましいＬＮＡ利得状態として選択される、Ｃ２８に記載の製品。
［Ｃ３０］
前記測定値は信号品質測定値である、Ｃ２８に記載の製品。
【国際調査報告】
2017523649.tif 000028
2017523649.tif 000029
2017523649.tif 000030